(57)【要約】本出願の実施例はランダムアクセスのための方法及び端末機器を開示する。当該方法は、端末機器がランダムアクセスイベントの優先度に従って前記ランダムアクセスイベントのバックオフ時間を決定し、前記第１の優先度のランダムアクセスイベントが第１のバックオフ時間範囲に対応し、第２の優先度のランダムアクセスイベントが第２のバックオフ時間範囲に対応し、前記第１の優先度が前記第２の優先度より高くし、前記第１のバックオフ時間範囲と前記第２のバックオフ時間範囲が重複しないことと、前記バックオフ時間の後、前記端末機器がランダムアクセスプロセスを再開することと、を含む。【選択図】図２
2021520089.tif 000002
【特許請求の範囲】
【請求項１】
ランダムアクセスのための方法であって、
端末機器がランダムアクセスイベントの優先度に従って前記ランダムアクセスイベントのバックオフ時間を決定し、前記第１の優先度のランダムアクセスイベントが第１のバックオフ時間範囲に対応し、第２の優先度のランダムアクセスイベントが第２のバックオフ時間範囲に対応し、前記第１の優先度が前記第２の優先度より高くし、前記第１のバックオフ時間範囲と前記第２のバックオフ時間範囲が重複しないことと、
前記バックオフ時間の後、前記端末機器がランダムアクセスプロセスを再開することと、を含むことを特徴とするランダムアクセスのための方法。
【請求項２】
前記第１のバックオフ時間範囲の最大バックオフ時間がＫ＊Ｔであり、前記第２のバックオフ時間範囲の最小バックオフ時間が前記Ｋ＊Ｔ以上であり、そのうち、０＜Ｋ＜１であり、前記ＴがバックオフインジケーターＢＩを通じてネットワーク機器によって指示されることを特徴とする請求項１に記載の方法。
【請求項３】
前記端末機器がランダムアクセスイベントの優先度に従って前記ランダムアクセスイベントのバックオフ時間を決定することは、
前記ランダムアクセスイベントの優先度が前記第１の優先度である場合、前記端末機器が、０と前記Ｋ＊Ｔの間に第１の時間をランダムに選択し、前記第１の時間に調整係数を掛けることによって得られる時間値を前記ランダムアクセスイベントのバックオフ時間として使用することを含むことを特徴とする請求項２に記載の方法。
【請求項４】
前記調整係数が、ネットワーク機器によって設定され、前記第１の優先度のランダムアクセスイベントのバックオフ時間を調整するために使用され、前記第１の調整係数が１未満の正数であることを特徴とする請求項３に記載の方法。
【請求項５】
前記端末機器がランダムアクセスイベントの優先度に従って前記ランダムアクセスイベントのバックオフ時間を決定することは、
前記ランダムアクセスイベントの優先度が前記第２の優先度である場合、前記端末機器が、前記ランダムアクセスイベントのバックオフ時間として、前記Ｋ＊ＴとＴの間に第２の時間をランダムに選択することを含むことを特徴とする請求項２に記載の方法。
【請求項６】
前記Ｋがネットワーク機器によって設定されることを特徴とする請求項２〜請求項５のいずれか１項に記載の方法。
【請求項７】
前記Ｋが１／２であることを特徴とする請求項２〜請求項６のいずれか１項に記載の方法。
【請求項８】
前記第１のバックオフ時間範囲の最大バックオフ時間がｆ＊Ｔであり、前記第２のバックオフ時間範囲の最小バックオフ時間が前記ｆ＊Ｔ以上であり、そのうち、０＜ｆ＜１であり、前記ＴがバックオフインジケーターＢＩを通じてネットワーク機器によって指示され、前記ｆがネットワーク機器によって設定される調整係数であることを特徴とする請求項１に記載の方法。
【請求項９】
前記端末機器がランダムアクセスイベントの優先度に従って前記ランダムアクセスイベントのバックオフ時間を決定することは、
前記ランダムアクセスイベントの優先度が前記第１の優先度である場合、前記端末機器が、前記ランダムアクセスイベントのバックオフ時間として、０と前記ｆ＊Ｔの間に第３の時間をランダムに選択することを含むことを特徴とする請求項８に記載の方法。
【請求項１０】
前記端末機器がランダムアクセスイベントの優先度に従って前記ランダムアクセスイベントのバックオフ時間を決定することは、
前記ランダムアクセスイベントの優先度が前記第２の優先度である場合、前記端末機器が、前記ランダムアクセスイベントのバックオフ時間として、前記ｆ＊ＴとＴの間に第４の時間をランダムに選択することを含むことを特徴とする請求項８に記載の方法。
【請求項１１】
前記第１の優先度のランダムアクセスイベントがハンドオーバーとビーム障害回復ＢＦＲによるランダムアクセスを含み、前記第２の優先度のランダムアクセスイベントが前記第１の優先度のランダムアクセスイベント以外の他のランダムアクセスイベントを含むことを特徴とする請求項１〜請求項１０のいずれか１項に記載の方法。
【請求項１２】
ランダムアクセスのための方法であって、
端末機器がランダムアクセスイベントの優先度に従って前記ランダムアクセスイベントのバックオフ時間を決定し、前記第１の優先度のランダムアクセスイベントと第２の優先度のランダムアクセスイベントが同じバックオフ時間範囲に対応し、前記第１の優先度が前記第２の優先度より高いことと、
前記バックオフ時間の後、前記端末機器がランダムアクセスプロセスを再開することと、を含むことを特徴とするランダムアクセスのための方法。
【請求項１３】
前記同じバックオフ時間範囲内の最大バックオフ時間がＴであり、前記ＴがバックオフインジケーターＢＩを通じてネットワーク機器によって決定されることを特徴とする請求項１２に記載の方法。
【請求項１４】
前記端末機器がランダムアクセスイベントの優先度に従って前記ランダムアクセスイベントのバックオフ時間を決定することは、
前記ランダムアクセスイベントの優先度が前記第１の優先度である場合、前記端末機器が、０と前記Ｔの間に第５の時間をランダムに選択し、前記第５の時間に調整係数を掛けることによって得られる時間値を前記ランダムアクセスイベントのバックオフ時間として使用することを含むことを特徴とする請求項１３に記載の方法。
【請求項１５】
前記調整係数が、ネットワーク機器によって設定され、前記第１の優先度のランダムアクセスイベントのバックオフ時間を調整するために使用され、前記第１の調整係数が１未満の正数であることを特徴とする請求項１４に記載の方法。
【請求項１６】
前記端末機器がランダムアクセスイベントの優先度に従って前記ランダムアクセスイベントのバックオフ時間を決定することは、
前記ランダムアクセスイベントの優先度が前記第２の優先度である場合、前記端末機器が、前記ランダムアクセスイベントのバックオフ時間として、前記０とＴの間に第６の時間をランダムに選択することを含むことを特徴とする請求項１３に記載の方法。
【請求項１７】
前記第１の優先度のランダムアクセスイベントがハンドオーバーとビーム障害回復ＢＦＲによるランダムアクセスイベントを含み、前記第２の優先度のランダムアクセスイベントが前記第１の優先度のランダムアクセスイベント以外の他のランダムアクセスイベントを含むことを特徴とする請求項１２〜請求項１６のいずれか１項に記載の方法。
【請求項１８】
端末機器であって、
ランダムアクセスイベントの優先度に従って前記ランダムアクセスイベントのバックオフ時間を決定するための決定モジュールであって、前記第１の優先度のランダムアクセスイベントが第１のバックオフ時間範囲に対応し、第２の優先度のランダムアクセスイベントが第２のバックオフ時間範囲に対応し、前記第１の優先度が前記第２の優先度より高くし、前記第１のバックオフ時間範囲と前記第２のバックオフ時間範囲が重複しない決定モジュールと、
前記バックオフ時間の後にランダムアクセスプロセスを再開するためのアクセスモジュールと、を含むことを特徴とする端末機器。
【請求項１９】
前記第１のバックオフ時間範囲の最大バックオフ時間がＫ＊Ｔであり、そのうち、０＜Ｋ＜１であり、前記ＴがバックオフインジケーターＢＩを通じてネットワーク機器によって指示され、前記第２のバックオフ時間範囲の最小バックオフ時間が前記Ｋ＊Ｔ以上であることを特徴とする請求項１８に記載の端末機器。
【請求項２０】
前記決定モジュールは具体的に、
前記ランダムアクセスイベントの優先度が前記第１の優先度である場合、０と前記Ｋ＊Ｔの間に第１の時間をランダムに選択し、前記第１の時間に調整係数を掛けることによって得られる時間値を前記ランダムアクセスイベントのバックオフ時間として使用するためのものであることを特徴とする請求項１９に記載の端末機器。
【請求項２１】
前記調整係数が、ネットワーク機器によって設定され、前記第１の優先度のランダムアクセスイベントのバックオフ時間を調整するために使用され、前記第１の調整係数が１未満の正数であることを特徴とする請求項２０に記載の端末機器。
【請求項２２】
前記決定モジュールはさらに、
前記ランダムアクセスイベントの優先度が前記第２の優先度である場合、前記ランダムアクセスイベントのバックオフ時間として、前記Ｋ＊ＴとＴの間に第２の時間をランダムに選択するためのものであることを特徴とする請求項１９に記載の端末機器。
【請求項２３】
前記Ｋがネットワーク機器によって設定されることを特徴とする請求項１９〜請求項２２のいずれか１項に記載の端末機器。
【請求項２４】
前記Ｋが１／２であることを特徴とする請求項１９〜請求項２３のいずれか１項に記載の端末機器。
【請求項２５】
前記第１のバックオフ時間範囲の最大バックオフ時間がｆ＊Ｔであり、前記第２のバックオフ時間範囲の最小バックオフ時間が前記ｆ＊Ｔ以上であり、そのうち、０＜ｆ＜１であり、前記ＴがバックオフインジケーターＢＩを通じてネットワーク機器によって指示され、前記ｆがネットワーク機器によって設定される調整係数であることを特徴とする請求項１８に記載の端末機器。
【請求項２６】
前記決定モジュールはさらに、
前記ランダムアクセスイベントの優先度が前記第１の優先度である場合、前記ランダムアクセスイベントのバックオフ時間として、０と前記ｆ＊Ｔの間に第３の時間をランダムに選択するためのものであることを特徴とする請求項２５に記載の端末機器。
【請求項２７】
前記決定モジュールはさらに、
前記ランダムアクセスイベントの優先度が前記第２の優先度である場合、前記ランダムアクセスイベントのバックオフ時間として、前記ｆ＊ＴとＴの間に第４の時間をランダムに選択するためのものであることを特徴とする請求項２５に記載の端末機器。
【請求項２８】
前記第１の優先度のランダムアクセスイベントがハンドオーバーとビーム障害回復ＢＦＲによるランダムアクセスを含み、前記第２の優先度のランダムアクセスイベントが前記第１の優先度のランダムアクセスイベント以外の他のランダムアクセスイベントを含むことを特徴とする請求項１８〜請求項２７のいずれか１項に記載の端末機器。
【請求項２９】
端末機器であって、
ランダムアクセスイベントの優先度に従って前記ランダムアクセスイベントのバックオフ時間を決定するための決定モジュールであって、前記第１の優先度のランダムアクセスイベントと第２の優先度のランダムアクセスイベントが同じバックオフ時間範囲に対応し、前記第１の優先度が前記第２の優先度より高い決定モジュールと、
前記バックオフ時間の後にランダムアクセスプロセスを再開するためのアクセスモジュールと、を含むことを特徴とする端末機器。
【請求項３０】
前記同じバックオフ時間範囲内の最大バックオフ時間がＴであり、前記ＴがバックオフインジケーターＢＩを通じてネットワーク機器によって決定されることを特徴とする請求項２９に記載の端末機器。
【請求項３１】
前記決定モジュールは具体的に、
前記ランダムアクセスイベントの優先度が前記第１の優先度である場合、０と前記Ｔの間に第５の時間をランダムに選択し、前記第５の時間に調整係数を掛けることによって得られる時間値を前記ランダムアクセスイベントのバックオフ時間として使用するためのものであることを特徴とする請求項３０に記載の端末機器。
【請求項３２】
前記調整係数が、ネットワーク機器によって設定され、前記第１の優先度のランダムアクセスイベントのバックオフ時間を調整するために使用され、前記第１の調整係数が１未満の正数であることを特徴とする請求項３１に記載の端末機器。
【請求項３３】
前記決定モジュールはさらに、
前記ランダムアクセスイベントの優先度が前記第２の優先度である場合、前記ランダムアクセスイベントのバックオフ時間として、前記０とＴの間に第６の時間をランダムに選択するためのものであることを特徴とする請求項３０に記載の端末機器。
【請求項３４】
前記第１の優先度のランダムアクセスイベントがハンドオーバーとビーム障害回復ＢＦＲによるランダムアクセスイベントを含み、前記第２の優先度のランダムアクセスイベントが前記第１の優先度のランダムアクセスイベント以外の他のランダムアクセスイベントを含むことを特徴とする請求項２９〜請求項３３のいずれか１項に記載の端末機器。
【発明の詳細な説明】
【技術分野】
【０００１】
本出願の実施例は、通信分野に関し、特にランダムアクセスのための方法及び端末機器に関する。
【背景技術】
【０００２】
ロングタームエボリューション（Ｌｏｎｇ  Ｔｅｒｍ  Ｅｖｏｌｕｔｉｏｎ、ＬＴＥ（登録商標））システムでは、ネットワークは、端末機器がランダムアクセスプリアンブル（Ｐｒｅａｍｂｌｅ）の再送信を待機する時間範囲を、バックオフインジケーター（Ｂａｃｋｏｆｆ  Ｉｎｄｉｃａｔｏｒ、ＢＩ）を通じて指示することができる。端末機器は、ランダムアクセス応答（Ｒａｎｄｏｍ  Ａｃｃｅｓｓ  Ｒｅｓｐｏｎｓｅ、ＲＡＲ）の受信に失敗する場合、又は４番目のランダムアクセスメッセージ（つまり、Ｍｓｇ４）を受信し、当該Ｍｓｇ４に従って競合の解決が失敗すると決定した後、０からＢＩまでの１つの時間をランダムに選択し、当該時間の後にランダムアクセスプロセスを再開することができる。
【０００３】
第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ（登録商標））の議論によると、ハンドオーバー（ｈａｎｄｏｖｅｒ）とビーム障害回復（Ｂｅａｍ  Ｆａｉｌｕｒｅ  Ｒｅｃｏｖｅｒｙ、ＢＦＲ）によるランダムアクセスの優先度がより高いと決定されるため、高優先度のランダムアクセスプロセスを最適化することができる。具体的には、高優先度のランダムアクセスイベントのバックオフ時間を選択するために、調整係数（ｓｃａｌｉｎｇ  ｆａｃｔｏｒ）の概念が導入され、高優先度のランダムアクセスイベントのバックオフ時間が、ＢＩ＊ｓｃａｌｉｎｇ  ｆａｃｔｏｒに従って決定されることができ、つまり、高優先度のランダムアクセスプロセスのバックオフ時間が０からＢＩ＊ｓｃａｌｉｎｇ  ｆａｃｔｏｒまで選択されることができるが、低優先度のランダムアクセスイベントのバックオフ時間が依然として０からＢＩまで選択され、この場合には、０〜ＢＩ＊ｓｃａｌｉｎｇ  ｆａｃｔｏｒ内では、高優先度のランダムアクセスと低優先度のランダムアクセスが依然として衝突してしまう。
【発明の概要】
【発明が解決しようとする課題】
【０００４】
異なる優先度のランダムアクセスイベントの衝突を回避できるランダムアクセスのための方法及び端末機器を提供する。
【課題を解決するための手段】
【０００５】
第１の態様では、ランダムアクセスのための方法を提供し、前記方法は、端末機器がランダムアクセスイベントの優先度に従って前記ランダムアクセスイベントのバックオフ時間を決定し、前記第１の優先度のランダムアクセスイベントが第１のバックオフ時間範囲に対応し、第２の優先度のランダムアクセスイベントが第２のバックオフ時間範囲に対応し、前記第１の優先度が前記第２の優先度より高くし、前記第１のバックオフ時間範囲と前記第２のバックオフ時間範囲が重複しないことと、前記バックオフ時間の後、前記端末機器がランダムアクセスプロセスを再開することと、を含む。
【０００６】
このため、本出願の実施例のランダムアクセスのための方法により、異なる優先度のランダムアクセスイベントは、異なるバックオフ時間範囲に対応することができ、これによりランダムアクセスが再開されるとき、異なる優先度のランダムアクセスイベントの衝突問題を回避することに有利である。
【０００７】
いくつかの可能な実施形態では、前記第１のバックオフ時間範囲の最大バックオフ時間がＫ＊Ｔであり、前記第２のバックオフ時間範囲の最小バックオフ時間が前記Ｋ＊Ｔ以上であり、そのうち、０＜Ｋ＜１であり、前記ＴがバックオフインジケーターＢＩを通じてネットワーク機器によって指示される。
【０００８】
いくつかの可能な実施形態では、前記端末機器がランダムアクセスイベントの優先度に従って前記ランダムアクセスイベントのバックオフ時間を決定することは、
前記ランダムアクセスイベントの優先度が前記第１の優先度である場合、前記端末機器が、０と前記Ｋ＊Ｔの間に第１の時間をランダムに選択し、前記第１の時間に調整係数を掛けることによって得られる時間値を前記ランダムアクセスイベントのバックオフ時間として使用することを含む。
【０００９】
例えば、前記第１のバックオフ時間範囲の上限がＫ＊Ｔであってよく、前記第１のバックオフ時間範囲の下限が０であってよく、高優先度のランダムアクセスイベントの場合、前記端末機器は、０〜Ｋ＊Ｔの間にＴ１をランダムに選択し、当該Ｔ１＊ｆａｃｔｏｒによって得られる時間値を当該ランダムアクセスイベントのバックオフ時間として決定することができる。
【００１０】
いくつかの可能な実施形態では、前記調整係数が、ネットワーク機器によって設定され、前記第１の優先度のランダムアクセスイベントのバックオフ時間を調整するために使用され、前記第１の調整係数が１未満の正数である。
【００１１】
いくつかの可能な実施形態では、前記端末機器がランダムアクセスイベントの優先度に従って前記ランダムアクセスイベントのバックオフ時間を決定することは、
前記ランダムアクセスイベントの優先度が前記第２の優先度である場合、前記端末機器が、前記ランダムアクセスイベントのバックオフ時間として、前記Ｋ＊ＴとＴの間に第２の時間をランダムに選択することを含む。
【００１２】
即ち、前記第１のバックオフ時間範囲の上限がＫ＊Ｔであってよく、前記第１のバックオフ時間範囲の下限が０であってよく、前記第２のバックオフ時間範囲の下限がＫ＊Ｔであってよく、前記第２のバックオフ時間範囲の上限がＴであってよく、このようにして、異なる優先度のランダムアクセスイベントが異なるバックオフ時間範囲に対応するため、異なる優先度のランダムアクセスイベントの場合、決定されたバックオフ時間が異なるバックオフ時間範囲にあり、異なる優先度のランダムアクセスイベントの衝突問題を回避することができる。
【００１３】
選択的に、前記Ｋがネットワーク機器によって設定される。
【００１４】
選択的に、前記Ｋが１／２である。
【００１５】
いくつかの可能な実施形態では、前記第１のバックオフ時間範囲の最大バックオフ時間がｆ＊Ｔであり、前記第２のバックオフ時間範囲の最小バックオフ時間が前記ｆ＊Ｔ以上であり、そのうち、０＜ｆ＜１であり、前記ＴがバックオフインジケーターＢＩを通じてネットワーク機器によって指示され、前記ｆがネットワーク機器によって設定される調整係数である。
【００１６】
いくつかの可能な実施形態では、前記端末機器がランダムアクセスイベントの優先度に従って前記ランダムアクセスイベントのバックオフ時間を決定することは、
前記ランダムアクセスイベントの優先度が前記第１の優先度である場合、前記端末機器が、前記ランダムアクセスイベントのバックオフ時間として、０と前記ｆ＊Ｔの間に第３の時間をランダムに選択することを含む。
【００１７】
いくつかの可能な実施形態では、前記端末機器がランダムアクセスイベントの優先度に従って前記ランダムアクセスイベントのバックオフ時間を決定することは、
前記ランダムアクセスイベントの優先度が前記第２の優先度である場合、前記端末機器が、前記ランダムアクセスイベントのバックオフ時間として、前記ｆ＊ＴとＴの間に第４の時間をランダムに選択することを含む。
【００１８】
即ち、前記第１のバックオフ時間範囲の上限がｆ＊Ｔであってもよく、前記第１のバックオフ時間範囲の下限が０であってもよく、前記第２のバックオフ時間範囲の下限がｆ＊Ｔであってもよく、前記第２のバックオフ時間範囲の上限がＴであってもよく、このようにして、異なる優先度のランダムアクセスイベントが異なるバックオフ時間範囲に対応するため、異なる優先度のランダムアクセスイベントの場合、決定されたバックオフ時間が異なるバックオフ時間範囲にあり、異なる優先度のランダムアクセスイベントの衝突問題を回避することができる。
【００１９】
いくつかの可能な実施形態では、前記第１の優先度のランダムアクセスイベントが、ハンドオーバーとビーム障害回復ＢＦＲによるランダムアクセスを含み、前記第２の優先度のランダムアクセスイベントが、第１の優先度のランダムアクセスイベント以外の他のランダムアクセスイベントを含む。
【００２０】
第２の態様では、ランダムアクセスのための方法を提供し、前記方法は、
端末機器がランダムアクセスイベントの優先度に従って前記ランダムアクセスイベントのバックオフ時間を決定し、前記第１の優先度のランダムアクセスイベントと第２の優先度のランダムアクセスイベントが同じバックオフ時間範囲に対応し、前記第１の優先度が前記第２の優先度より高くすることと、前記バックオフ時間の後、前記端末機器がランダムアクセスプロセスを再開することと、を含む。
【００２１】
よって、異なる優先度のランダムアクセスイベントが同じバックオフ時間範囲に対応することができるが、前記端末機器は、ランダムアクセスイベントの優先度に従って、当該同じバックオフ時間範囲と組み合わせて当該ランダムアクセスイベントのバックオフ時間を決定することができ、例えば、優先度の高いランダムアクセスイベントの場合、前記端末機器が、当該バックオフ時間範囲内の時間値をランダムに選択し、当該時間値に特定のスケール係数（１未満）を掛けることによって得られる時間値を、当該ランダムアクセスイベントのバックオフ時間として決定することができ、あるいは、優先度の低いランダムアクセスイベントの場合、前記端末機器が、当該バックオフ時間範囲内の時間値をランダムに選択し、当該時間値を当該ランダムアクセスイベントのバックオフ時間として決定することができる。これにより、優先度の高いランダムアクセスイベントのランダムアクセスをできるだけ早く再開することができ、同時に、異なる優先度のランダムアクセスイベントが同じバックオフ時間範囲に対応するが、バックオフ時間を決定するための具体的な方法が異なるため、異なる優先度のランダムアクセスイベントの衝突問題をある程度減らすことができる。
【００２２】
いくつかの可能な実施形態では、前記同じバックオフ時間範囲内の最大バックオフ時間がＴであり、前記ＴがバックオフインジケーターＢＩを通じてネットワーク機器によって決定される。
【００２３】
いくつかの可能な実施形態では、前記端末機器は、ランダムアクセスイベントの優先度に従って前記ランダムアクセスイベントのバックオフ時間を決定することは、
前記ランダムアクセスイベントの優先度が前記第１の優先度である場合、前記端末機器が、０と前記Ｔの間に第５の時間をランダムに選択し、前記第５の時間に調整係数を掛けることによって得られる時間値を前記ランダムアクセスイベントのバックオフ時間として使用することを含む。
【００２４】
いくつかの可能な実施形態では、前記調整係数が、ネットワーク機器によって設定され、前記第１の優先度のランダムアクセスイベントのバックオフ時間を調整するために使用され、前記第１の調整係数が１未満の正数である。
【００２５】
いくつかの可能な実施形態では、前記端末機器がランダムアクセスイベントの優先度に従って前記ランダムアクセスイベントのバックオフ時間を決定することは、
前記ランダムアクセスイベントの優先度が前記第２の優先度である場合、前記端末機器が、前記ランダムアクセスイベントのバックオフ時間として、前記０とＴの間に第６の時間をランダムに選択することを含む。
【００２６】
いくつかの可能な実施形態では、前記第１の優先度のランダムアクセスイベントが、ハンドオーバーとビーム障害回復ＢＦＲによるランダムアクセスイベントを含み、前記第２の優先度のランダムアクセスイベントが、前記第１の優先度のランダムアクセスイベント以外の他のランダムアクセスイベントを含む。
【００２７】
第３の態様では、上記第１の態様又は第１の態様の任意の可能な実施形態での方法を実行するための端末機器を提供する。具体的には、当該端末機器が、上記第１の態様又は第１の態様の任意の可能な実施形態での方法を実行するためのユニットを含む。
【００２８】
第４の態様では、メモリ、プロセッサ、入力インターフェース、及び出力インターフェースを含む端末機器を提供する。メモリ、プロセッサ、入力インターフェース、及び出力インターフェースがバスシステムで接続される。当該メモリが命令を格納するために使用され、当該プロセッサが当該メモリに格納された命令を実行するために使用され、上記第１の態様又は第１の態様の任意の可能な実施形態での方法を実行するために使用される。
【００２９】
第５の態様では、上記第２の態様又は第２の態様の任意の可能な実施形態での方法を実行するための端末機器を提供する。具体的には、当該端末機器は、上記第２の態様又は第２の態様の任意の可能な実施形態での方法を実行するためのユニットを含む。
【００３０】
第６の態様では、メモリ、プロセッサ、入力インターフェース、及び出力インターフェースを含む端末機器を提供する。メモリ、プロセッサ、入力インターフェース、及び出力インターフェースがバスシステムで接続される。当該メモリが命令を格納するために使用され、当該プロセッサがメモリに格納された命令を実行するために使用され、上記第２の態様又は第２の態様の任意の可能な実施形態での方法を実行するために使用される。
【００３１】
第７の態様では、上記第１の態様又は第１の態様の任意の可能な実施形態での方法を実行するために使用されるコンピュータソフトウェア命令を格納するためのコンピュータ記憶媒体を提供し、当該コンピュータ記憶媒体が上記態様を実行するために設計されたプログラムを含む。
【００３２】
第８の態様では、命令を含むコンピュータプログラム製品を提供し、当該コンピュータプログラム製品がコンピュータ上で実行されるとき、コンピュータに上記第１の態様又は第１の態様の任意の選択可能な実施形態での方法を実行させる。
【００３３】
第９の態様では、上記第２の態様又は第２の態様の任意の可能な実施形態での方法を実行するために使用されるコンピュータソフトウェア命令を格納するためのコンピュータ記憶媒体を提供し、当該コンピュータ記憶媒体が上記態様を実行するために設計されたプログラムを含む。
【００３４】
第１０の態様では、命令を含むコンピュータプログラム製品を提供し、当該コンピュータプログラム製品がコンピュータ上で実行されるとき、コンピュータに上記第２の態様又は第２の態様の任意の選択可能な実施形態での方法を実行させる。
【図面の簡単な説明】
【００３５】
【図１】本出願の実施例に係る応用シーンの概略図を示す。
【図２】本出願の実施例に係るランダムアクセスのための方法の概略フローチャートを示す。
【図３】本出願のもう１つの実施例に係るランダムアクセスのための方法の概略フローチャートを示す。
【図４】本出願の実施例に係る端末機器の概略ブロック図を示す。
【図５】本出願のもう１つの実施例に係る端末機器の概略ブロック図を示す。
【図６】本出願の実施例に係る端末機器の概略ブロック図を示す。
【図７】本出願のもう１つの実施例に係る端末機器の概略ブロック図を示す。
【発明を実施するための形態】
【００３６】
以下、本出願の実施例に係る技術的解決手段について、図面を参考にして説明する。
【００３７】
本出願の実施例の技術的解決手段は、様々な通信システム、例えば、ロングタームエボリューション（Ｌｏｎｇ  Ｔｅｒｍ  Ｅｖｏｌｕｔｉｏｎ、ＬＴＥ）システム、ＬＴＥ周波数分割デュプレックス（Ｆｒｅｑｕｅｎｃｙ  Ｄｉｖｉｓｉｏｎ  Ｄｕｐｌｅｘ、ＦＤＤ）システム、ＬＴＥ時分割デュプレックス（Ｔｉｍｅ  Ｄｉｖｉｓｉｏｎ  Ｄｕｐｌｅｘ、ＴＤＤ）、又は将来の５Ｇシステムなどに適用されることができる。
【００３８】
図１は、本出願の実施例に適用される無線通信システム１００を示す。当該無線通信システム１００がネットワーク機器１１０を含んでよい。ネットワーク機器１１０が、端末機器と通信する機器であってよい。ネットワーク機器１１０が、特定の地理的エリアに通信カバレッジを提供することができ、当該カバレッジエリアに位置する端末機器（例えば、ＵＥ）と通信することができる。選択的に、当該ネットワーク機器１１０が、ＬＴＥシステムでの進化型基地局（Ｅｖｏｌｕｔｉｏｎａｌ  Ｎｏｄｅ  Ｂ、ｅＮＢ又はｅＮｏｄｅＢ）、又は、当該ネットワーク機器が、リレーステーション、アクセスポイント、車載機器、ウェアラブル機器、将来の５Ｇネットワークでのネットワーク側の機器又は将来進化する公衆陸上移動ネットワーク（Ｐｕｂｌｉｃ  Ｌａｎｄ  Ｍｏｂｉｌｅ  Ｎｅｔｗｏｒｋ、ＰＬＭＮ）でのネットワーク機器などであってもよい。
【００３９】
当該無線通信システム１００はさらに、ネットワーク機器１１０のカバレッジエリア内に位置する少なくとも１つの端末機器１２０を含む。端末機器１２０が、可動式であってもよく、固定式であってもよい。選択的に、端末機器１２０が、アクセス端末、ユーザ機器（Ｕｓｅｒ  Ｅｑｕｉｐｍｅｎｔ、ＵＥ）、ユーザユニット、ユーザステーション、モバイルテーション、モバイル局、リモートステーション、リモート端末、モバイル機器、ユーザ端末、端末、無線通信機器、ユーザエージェント又はユーザ装置を指してもよい。アクセス端末が、セルラー電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）ステーション、パーソナルデジタルプロセッシング（Ｐｅｒｓｏｎａｌ  Ｄｉｇｉｔａｌ  Ａｓｓｉｓｔａｎｔ、ＰＤＡ）、ワイヤレス通信機能付きのハンドヘルド機器、コンピューティング機器又はワイヤレスモデムに接続されたほかのプロセッシング機器、車載機器、ウェアラブル機器及び将来の５Ｇネットワークでの端末機器又は将来進化するＰＬＭＮでの端末機器などであってもよい。
【００４０】
図２は、本出願の実施例に係るランダムアクセスのための方法２００の概略フローチャートであり、当該方法２００が、図１に示される通信システム内の端末機器によって実行されることができる。図２に示すように、当該方法２００は、
端末機器がランダムアクセスイベントの優先度に従って前記ランダムアクセスイベントのバックオフ時間を決定し、前記第１の優先度のランダムアクセスイベントが第１のバックオフ時間範囲に対応し、第２の優先度のランダムアクセスイベントが第２のバックオフ時間範囲に対応し、前記第１の優先度が前記第２の優先度より高くし、前記第１のバックオフ時間範囲と前記第２のバックオフ時間範囲が重複しないＳ２１０と、
前記バックオフ時間後、前記端末機器がランダムアクセスプロセスを再開するＳ２２０と、を含む。
【００４１】
よって、本出願の実施例のランダムアクセスのための方法により、異なる優先度のランダムアクセスイベントは、異なるバックオフ時間範囲に対応することができ、これによりランダムアクセスが再開されるとき、異なる優先度のランダムアクセスイベントの衝突問題を回避することに有利である。
【００４２】
理解すべきものとして、本出願の実施例では、バックオフ時間が、ランダムアクセスの失敗から次のランダムアクセスの再開までの待ち時間であり、選択的に、前記端末機器が、ＲＡＲの受信に失敗する場合、又はＭｓｇ４を受信し、当該Ｍｓｇ４に従って競合の解決が失敗すると決定する場合、ランダムアクセスが失敗すると決定することができる。
【００４３】
選択的に、本出願の実施例では、前記第１の優先度のランダムアクセスイベントが、ハンドオーバー（ｈａｎｄｏｖｅｒ）とビーム障害回復（Ｂｅａｍ  Ｆａｉｌｕｒｅ  Ｒｅｃｏｖｅｒｙ、ＢＦＲ）によるランダムアクセスを含み、前記第２の優先度のランダムアクセスイベントが、前記第１の優先度のランダムアクセスイベント以外の他のランダムアクセスイベントを含み、第１の優先度のランダムアクセスイベントの優先度がより高い。
【００４４】
選択的に、本出願の実施例では、前記第１の優先度のランダムアクセスイベントが第１のバックオフ時間範囲に対応し、第２の優先度のランダムアクセスイベントが第２のバックオフ時間範囲に対応し、前記第１のバックオフ時間範囲と前記第２のバックオフ時間範囲が重複しない。
【００４５】
ここで、前記第１のバックオフ時間範囲と前記第２のバックオフ時間範囲が重複しないことは、前記第１のバックオフ時間範囲と前記第２のバックオフ時間範囲が全く重複しないことであってもよく、例えば、第１のバックオフ時間範囲が０〜Ｔ／３であり、第２のバックオフ時間範囲がＴ／２〜Ｔであり、又は前記第１のバックオフ時間範囲と前記第２のバックオフ時間範囲が終了位置で重複することであってもよく、例えば、第１のバックオフ時間範囲が０〜Ｔ／２であり、第２のバックオフ時間範囲がＴ／２〜Ｔである。
【００４６】
選択的に、いくつかの実施例では、前記第１のバックオフ時間範囲の最大バックオフ時間が前記第２のバックオフ時間範囲の最小バックオフ時間以下にあってもよく、即ち、高優先度のランダムアクセスイベントのバックオフ時間はより短くて、これにより高優先度のランダムアクセスイベントがランダムアクセスをできるだけ早く再開できるため、アクセス遅延を減らし、ユーザ体験を向上させることができる。
【００４７】
以下、実施例１及び実施例２に関連して、バックオフ時間の決定方法について詳細に説明する。
【００４８】
実施例１では、前記第１のバックオフ時間範囲の最大バックオフ時間がＫ＊Ｔであり、前記第２のバックオフ時間範囲の最小バックオフ時間が前記Ｋ＊Ｔ以上であり、そのうち、０＜Ｋ＜１であり、前記ＴがバックオフインジケーターＢＩを通じてネットワーク機器によって指示される。
【００４９】
具体的には、端末機器が、ネットワーク機器によって送信されたＢＩに従って時長Ｔを決定でき、さらに、端末機器が、当該時長Ｔにスケール係数Ｋを掛けることによって得られる時長値を、高優先度のランダムアクセスイベントの最大バックオフ時間（即ちＫ＊Ｔ）として使用し、高優先度のランダムアクセスイベントがランダムアクセスをできるだけ早く再開できるようにするには、０＜Ｋ＜１を選択できる。同時に、前記第２のバックオフ時間範囲の最小バックオフ時間がＫ＊Ｔ以上に設定できることによって、異なる優先度のランダムアクセスイベントのバックオフ時間が重複せず、さらに異なる優先度のランダムアクセスイベントの衝突問題を回避できる。
【００５０】
選択的に、本出願の実施例では、前記Ｋがネットワークによって設定されてもよく、又はプロトコルによって合意されてもよく、本出願の実施例はこれを限定しない。
【００５１】
選択的に、いくつかの実施例では、前記Ｋが１／２又は１／３などであってもよく、本出願の実施例はこれを限定しない。
【００５２】
選択的に、いくつかの実施例では、Ｓ２１０は、
前記ランダムアクセスイベントの優先度が前記第１の優先度である場合、前記端末機器が、０と前記Ｋ＊Ｔの間に第１の時間をランダムに選択し、前記第１の時間に調整係数（ｆａｃｔｏｒ）を掛けることによって得られる時間値を、前記ランダムアクセスイベントのバックオフ時間として使用することを含んでもよい。
【００５３】
即ち、前記第１のバックオフ時間範囲の上限がＫ＊Ｔであってもよく、前記第１のバックオフ時間範囲の下限が０であってもよく、ランダムアクセスイベントの優先度が高優先度である場合、前記端末機器が、０〜Ｋ＊Ｔの間に第１の時間をランダムに選択し、当該第１の時間をＢＴ１として示し、そして当該ＢＴ１にｆａｃｔｏｒを掛けることによって得られる時間値を当該ランダムアクセスイベントのバックオフ時間として使用してもよい。
【００５４】
選択的に、本出願の実施例では、前記調整係数がネットワーク機器によって設定されるか、又はプロトコルによって合意され、当該調整係数が前記第１の優先度のランダムアクセスイベントのバックオフ時間を調整するために使用でき、前記第１の調整係数が１未満の正数である。
【００５５】
選択的に、他の幾つかの実施例では、Ｓ２１０は、
前記ランダムアクセスイベントの優先度が前記第２の優先度である場合、前記端末機器が、前記ランダムアクセスイベントのバックオフ時間として、前記Ｋ＊ＴとＴの間に第２の時間をランダムに選択することを含んでもよい。
【００５６】
即ち、前記第２のバックオフ時間範囲の下限がＫ＊Ｔであってもよく、前記第２のバックオフ時間範囲の上限がＴであってもよく、ランダムアクセスイベントの優先度が低優先度である場合、前記端末機器が、Ｋ＊Ｔ〜Ｔの間に第２の時間をランダムに選択し、当該第２の時間をＢＴ２として示してもよく、さらに、当該ＢＴ２を当該ランダムアクセスイベントのバックオフ時間として使用してもよい。
【００５７】
当該実施例１では、異なる優先度のランダムアクセスイベントが異なるバックオフ時間範囲に対応するため、異なる優先度のランダムアクセスイベントに対して決定されたバックオフ時間の所在するバックオフ時間範囲も異なり、異なる優先度のランダムアクセスイベントの衝突問題を回避できる。
【００５８】
実施例２では、前記第１のバックオフ時間範囲の最大バックオフ時間がｆ＊Ｔであり、前記第２のバックオフ時間範囲の最小バックオフ時間がｆ＊Ｔ以上であり、そのうち、０＜ｆ＜１であり、前記ＴがバックオフインジケーターＢＩを通じてネットワーク機器によって指示され、前記ｆがネットワーク機器によって設定される調整係数である。
【００５９】
ここで、前記ｆが上記の調整係数ｆａｃｔｏｒに対応してもよく、即ち、当該実施例２では、前記第１のバックオフ時間範囲の上限がＢＩに従って決定された時長Ｔと調整係数ｆの積であってもよく、第２のバックオフ時間範囲の下限が時長Ｔと調整係数ｆの積以上であってもよく、よって、第１のバックオフ時間範囲と第２のバックオフ時間範囲が、それぞれ異なるバックオフ時間範囲に対応できることによって、異なる優先度のランダムアクセスイベントの衝突問題を回避することに有利である。
【００６０】
選択的に、いくつかの実施例では、前記Ｓ２１０は、
前記ランダムアクセスイベントの優先度が前記第１の優先度である場合、前記端末機器が、前記ランダムアクセスイベントのバックオフ時間として、０と前記ｆ＊Ｔの間に第３の時間をランダムに選択することを含んでもよい。
【００６１】
即ち、ランダムアクセスイベントの優先度が高優先度である場合、前記端末機器が、当該ランダムアクセスイベントのバックオフ時間として、０と前記ｆ＊Ｔの間に第３の時間をランダムに選択することができる。
【００６２】
選択的に、他のいくつかの実施例では、前記Ｓ２１０は、
前記ランダムアクセスイベントの優先度が前記第２の優先度である場合、前記ランダムアクセスイベントのバックオフ時間として、前記ｆ＊ＴとＴの間に第４の時間をランダムに選択することを含んでもよい。
【００６３】
即ち、ランダムアクセスイベントの優先度が低優先度である場合、前記端末機器が、当該ランダムアクセスイベントのバックオフ時間として、前記ｆ＊ＴとＴの間に第４の時間をランダムに選択することができる。
【００６４】
当該実施例２では、異なる優先度のランダムアクセスイベントが異なるバックオフ時間範囲に対応するため、異なる優先度のランダムアクセスイベントに対して決定されたバックオフ時間の所在するバックオフ時間範囲も異なり、異なる優先度のランダムアクセスイベントの衝突問題を回避できる。
【００６５】
理解すべきものとして、上記の実施例１と実施例２では、異なる優先度のランダムアクセスイベントに対応するバックオフ時間範囲は単なる例であり、前記第１のバックオフ時間範囲と前記第２のバックオフ時間範囲は他の時間範囲であってもよく、本出願の実施例がいかなる制限を構成する。
【００６６】
図３は、本出願の別の実施例に係るランダムアクセスのための方法３００の概略フローチャートであり、当該方法３００が、図１に示される通信システム内の端末機器によって実行され、図３に示すように、当該方法３００は、
端末機器が、ランダムアクセスイベントの優先度に従って前記ランダムアクセスイベントのバックオフ時間を決定し、前記第１の優先度のランダムアクセスイベントと第２の優先度のランダムアクセスイベントが同じバックオフ時間範囲に対応し、前記第１の優先度が前記第２の優先度より高いＳ３１０と、
前記端末機器が、前記バックオフ時間後、ランダムアクセスプロセスを再開するＳ３２０と、を含む。
【００６７】
当該実施例では、異なる優先度のランダムアクセスイベントが同じバックオフ時間範囲に対応してもよく、前記端末機器が、ランダムアクセスイベントの優先度に従って、当該同じバックオフ時間範囲と組み合わせて当該ランダムアクセスイベントのバックオフ時間を決定してもよく、例えば、優先度の高いランダムアクセスイベントの場合、前記端末機器が、当該バックオフ時間範囲内の時間値をランダムに選択し、そして当該時間値に特定のスケール係数（１未満）を掛けることによって得られる時間値を、当該ランダムアクセスイベントのバックオフ時間として決定してもよく、あるいは、優先度の低いランダムアクセスイベントの場合、前記端末機器が、当該バックオフ時間範囲内の時間値をランダムに選択し、当該時間値を当該ランダムアクセスイベントのバックオフ時間として決定してもよい。これにより、優先度の高いランダムアクセスイベントがランダムアクセスをできるだけ早く再開することができ、同時に、異なる優先度のランダムアクセスイベントが同じバックオフ時間範囲に対応するが、バックオフ時間を決定するための具体的な方法が異なるため、異なる優先度のランダムアクセスイベントの衝突問題をある程度減らすことができる。
【００６８】
選択的に、いくつかの実施例では、前記同じバックオフ時間範囲の最大バックオフ時間はＴであり、前記Ｔが、バックオフインジケーターＢＩを通じてネットワーク機器によって決定される。
【００６９】
選択的に、いくつかの実施例では、前記端末機器がランダムアクセスイベントの優先度に従って前記ランダムアクセスイベントのバックオフ時間を決定することは、
前記ランダムアクセスイベントの優先度が前記第１の優先度である場合、前記端末機器は、０と前記Ｔの間に第５の時間をランダムに選択し、前記第５の時間に調整係数を掛けることによって得られる時間値を前記ランダムアクセスイベントのバックオフ時間として使用することを含む。
【００７０】
選択的に、いくつかの実施例では、前記調整係数が、ネットワーク機器によって設定され、前記第１の優先度のランダムアクセスイベントのバックオフ時間を調整するために使用され、前記第１の調整係数が１未満の正数である。
【００７１】
ここでの調整係数は上記のｆａｃｔｏｒに対応することができ、具体的な実現プロセスは類似し、ここでは繰り返さない。
【００７２】
選択的に、いくつかの実施例では、Ｓ３１０は、
前記ランダムアクセスイベントの優先度が前記第２の優先度である場合、前記端末機器が、前記ランダムアクセスイベントのバックオフ時間として、前記０とＴの間に第６の時間をランダムに選択することを含んでもよい。
【００７３】
選択的に、本出願の実施例では、前記第１の優先度のランダムアクセスイベントが、ハンドオーバーとビーム障害回復ＢＦＲによるランダムアクセスを含み、前記第２の優先度のランダムアクセスイベントが、前記第１の優先度のランダムアクセスイベント以外の他のランダムアクセスイベントを含む。
【００７４】
以上では、図２と図３を組み合わせて、本出願の方法の実施例を詳細に説明し、以下では、図４から図７を組み合わせて、本出願の装置の実施例を詳細に説明し、理解すべきものとして、装置の実施例と方法の実施例が互いに対応し、同様の説明が方法の実施例を参照することができる。
【００７５】
図４は、本出願の実施例に係る端末機器４００の概略ブロック図を示す。図４に示すように、当該端末機器４００は、
ランダムアクセスイベントの優先度に従って前記ランダムアクセスイベントのバックオフ時間を決定するための決定モジュール４１０であって、前記第１の優先度のランダムアクセスイベントが第１のバックオフ時間範囲に対応し、第２の優先度のランダムアクセスイベントが第２のバックオフ時間範囲に対応し、前記第１の優先度が前記第２の優先度より高くし、前記第１のバックオフ時間範囲と前記第２のバックオフ時間範囲が重複しない決定モジュール４１０と、
前記バックオフ時間の後にランダムアクセスプロセスを再開するためのアクセスモジュール４２０と、を含む。
【００７６】
選択的に、いくつかの実施例では、前記第１のバックオフ時間範囲の最大バックオフ時間がＫ＊Ｔであり、そのうち、０＜Ｋ＜１であり、前記Ｔが、バックオフインジケーターＢＩを通じてネットワーク機器によって指示され、前記第２のバックオフ時間範囲の最小バックオフ時間が前記Ｋ＊Ｔ以上である。
【００７７】
選択的に、いくつかの実施例では、前記決定モジュール４１０は具体的に、
前記ランダムアクセスイベントの優先度が前記第１の優先度である場合、０と前記Ｋ＊Ｔの間に第１の時間をランダムに選択し、前記第１の時間に調整係数を掛けることによって得られる時間値を、前記ランダムアクセスイベントのバックオフ時間として使用するためのものである。
【００７８】
選択的に、いくつかの実施例では、前記調整係数が、ネットワーク機器によって設定され、前記第１の優先度のランダムアクセスイベントのバックオフ時間を調整するために使用され、前記第１の調整係数が１未満の正数である。
【００７９】
選択的に、いくつかの実施例では、前記決定モジュール４１０はさらに、
前記ランダムアクセスイベントの優先度が前記第２の優先度である場合、前記ランダムアクセスイベントのバックオフ時間として、前記Ｋ＊ＴとＴの間に第２の時間をランダムに選択するためのものである。
【００８０】
選択的に、いくつかの実施例では、前記Ｋがネットワーク機器によって設定される。
【００８１】
選択的に、いくつかの実施例では、前記Ｋが１／２である。
【００８２】
選択的に、いくつかの実施例では、前記第１のバックオフ時間範囲の最大バックオフ時間がｆ＊Ｔであり、前記第２のバックオフ時間範囲の最小バックオフ時間が前記ｆ＊Ｔ以上であり、そのうち、０＜ｆ＜１であり、前記Ｔが、バックオフインジケーターＢＩを通じてネットワーク機器によって指示され、前記ｆが、ネットワーク機器によって設定される調整係数である。
【００８３】
選択的に、いくつかの実施例では、前記決定モジュール４１０はさらに、
前記ランダムアクセスイベントの優先度が前記第１の優先度である場合、前記ランダムアクセスイベントのバックオフ時間として、０と前記ｆ＊Ｔの間に第３の時間をランダムに選択するためのものである。
【００８４】
選択的に、いくつかの実施例では、前記決定モジュール４１０はさらに、
前記ランダムアクセスイベントの優先度が前記第２の優先度である場合、前記ランダムアクセスイベントのバックオフ時間として、前記ｆ＊ＴとＴの間に第４の時間をランダムに選択するためのものである。
【００８５】
選択的に、いくつかの実施例では、前記第１の優先度のランダムアクセスイベントが、ハンドオーバーとビーム障害回復ＢＦＲによるランダムアクセスを含み、前記第２の優先度のランダムアクセスイベントが、前記第１の優先度のランダムアクセスイベント以外の他のランダムアクセスイベントを含む。
【００８６】
理解すべきものとして、本出願の実施例に係る端末機器４００が、本出願の方法の実施例に係る端末機器に対応することができ、端末機器４００における各ユニットの上記及び他の動作及び／または機能が、図２に示される方法２００に係る端末機器の対応するプロセスをそれぞれ実施するために使用され、簡潔にするため、ここでは繰り返しない。
【００８７】
図５は、本出願の実施例に係る端末機器の概略ブロック図である。図５の端末機器５００は、
ランダムアクセスイベントの優先度に従って前記ランダムアクセスイベントのバックオフ時間を決定するための決定モジュール５１０であって、前記第１の優先度のランダムアクセスイベントと第２の優先度のランダムアクセスイベントが同じバックオフ時間範囲に対応し、前記第１の優先度が前記第２の優先度より高い決定モジュール５１０と、
前記バックオフ時間の後にランダムアクセスプロセスを再開するためのアクセスモジュール５２０と、を含む。
【００８８】
選択的に、いくつかの実施例では、前記同じバックオフ時間範囲の最大バックオフ時間がＴであり、前記Ｔが、バックオフインジケーターＢＩを通じてネットワーク機器によって決定される。
【００８９】
選択的に、いくつかの実施例では、前記決定モジュール５１０は具体的に、
前記ランダムアクセスイベントの優先度が前記第１の優先度である場合、０と前記Ｔの間に第５の時間をランダムに選択し、前記第５の時間に調整係数を掛けることによって得られる時間値を前記ランダムアクセスイベントのバックオフ時間として使用するためのものである。
【００９０】
選択的に、いくつかの実施例では、前記調整係数が、ネットワーク機器によって設定され、前記第１の優先度のランダムアクセスイベントのバックオフ時間を調整するために使用され、前記第１の調整係数が１未満の正数である。
【００９１】
選択的に、いくつかの実施例では、前記決定モジュール５１０はさらに、
前記ランダムアクセスイベントの優先度が前記第２の優先度である場合、前記ランダムアクセスイベントのバックオフ時間として、前記０とＴの間に第６の時間をランダムに選択するためのものである。
【００９２】
選択的に、いくつかの実施例では、前記第１の優先度のランダムアクセスイベントが、ハンドオーバーとビーム障害回復ＢＦＲによるランダムアクセスイベントを含み、前記第２の優先度のランダムアクセスイベントが、前記第１の優先度のランダムアクセスイベント以外の他のランダムアクセスイベントを含む。
【００９３】
具体的には、当該端末機器５００が、上記方法３００で説明された端末機器に対応し（例えば、上記方法３００で説明された端末機器に配置されるか又は自体が上記方法３００で説明された端末機器であることができる）、さらに、当該端末機器５００における各モジュール又はユニットがそれぞれ、上記方法３００に係る端末機器によって実行される各動作又は処理プロセスを実行するために使用され、ここで、説明の重複を避けるため、その詳細な説明を省略する。
【００９４】
図６に示すように、本出願の実施例はさらに、端末機器６００を提供し、前記端末機器６００が、図２における方法２００に対応する端末機器のコンテンツを実行するために使用されることができ、図４の端末機器４００であってもよい。前記機器６００が、入力インターフェース６１０、出力インターフェース６２０、プロセッサ６３０、及びメモリ６４０を含み、前記入力インターフェース６１０、出力インターフェース６２０、プロセッサ６３０及びメモリ６４０がバスシステムによって接続されてもよい。前記メモリ６４０が、プログラム、命令又はコードを格納するために使用される。前記プロセッサ６３０が、前記メモリ６４０内のプログラム、命令又はコードを実行して、入力インターフェース６１０を制御して信号を受信し、出力インターフェース６２０を制御して信号を送信し、上記方法の実施例における操作を完了するために使用される。
【００９５】
理解すべきものとして、本出願の実施例では、前記プロセッサ６３０が中央処理ユニット（Ｃｅｎｔｒａｌ  Ｐｒｏｃｅｓｓｉｎｇ  Ｕｎｉｔ、「ＣＰＵ」と略称）であってもよく、なお、前記プロセッサ６３０が、ほかの汎用プロセッサ、デジタル信号プロセッサ（ＤＳＰ）、特定用途向け集積回路（ＡＳＩＣ）、レディーメードプログラマブルゲートアレイ（ＦＰＧＡ）又はこのほかのプログラマブルロジック装置、ディスクリートゲート又はトランジスタロジック装置、個別のハードウェアコンポーネントなどであってもよい。汎用プロセッサが、マイクロプロセッサであってもよく、又は、前記プロセッサが、任意の従来のプロセッサなどであってもよい。
【００９６】
前記メモリ６４０は、読み取り専用メモリとランダムアクセスメモリを含んでもよく、命令とデータをプロセッサ６３０に提供する。メモリ６４０の一部はさらに、不揮発性ランダムアクセスメモリを含んでもよい。例えば、メモリ６４０はさらに、機器タイプの情報を格納してもよい。
【００９７】
実現過程において、上記方法の各コンテンツは、プロセッサ６３０内のハードウェアの集積ロジック回路又はソフトウェア形の命令によって完成されることができる。本出願の実施例と組み合わせて開示された方法の内容が、ハードウェアプロセッサによって実行されるものとして、又はプロセッサ内のハードウェアとソフトウェアモジュールの組み合わせによって実行されるものとして直接具体化されてもよい。ソフトウェアモジュールが、ランダムアクセスメモリ、フラッシュメモリ、読み取り専用メモリ、プログラマブル読み取り専用メモリ、又は電気的消去可能プログラマブルメモリ、レジスタなどの本分野における成熟した記憶媒体にあってよい。前記記憶媒体がメモリ６４０にあり、プロセッサ６３０がメモリ６４０内の情報を読み取り、そのハードウェアを組み合わせて上記方法の内容を完了させる。繰り返しを避けるため、ここでは詳しく説明しない。
【００９８】
１つの具体的な実施形態では、図４における端末機器４００に含まれる決定モジュール４１０が、図６のプロセッサ６３０によって実現されることができ、図４における端末機器４００に含まれるアクセスモジュール４２０が、図６の前記入力インターフェース６１０及び前記出力インターフェース６２０によって実現されることができる。
【００９９】
図７に示すように、本出願の実施例はさらに、端末機器７００を提供し、前記端末機器７００が、図３における方法３００に対応する端末機器のコンテンツを実行するために使用することができ、図５における端末機器５００であってもよい。前記端末機器７００が、入力インターフェース７１０、出力インターフェース７２０、プロセッサ７３０、及びメモリ７４０を含み、前記入力インターフェース７１０、出力インターフェース７２０、プロセッサ７３０、及びメモリ７４０が、バスシステムによって接続されてもよい。前記メモリ７４０が、プログラム、命令又はコードを格納するために使用される。前記プロセッサ７３０が、メモリ７４０内のプログラム、命令又はコードを実行して、入力インターフェース７１０を制御して信号を受信し、出力インターフェース７２０を制御して信号を送信し、上記の方法の実施例の動作を完了するために使用される。
【０１００】
理解すべきものとして、本出願の実施例では、前記プロセッサ７３０が中央処理ユニット（Ｃｅｎｔｒａｌ  Ｐｒｏｃｅｓｓｉｎｇ  Ｕｎｉｔ、「ＣＰＵ」と略称）であってもよく、なお、前記プロセッサ７３０が、ほかの汎用プロセッサ、デジタル信号プロセッサ（ＤＳＰ）、特定用途向け集積回路（ＡＳＩＣ）、レディーメードプログラマブルゲートアレイ（ＦＰＧＡ）又はこのほかのプログラマブルロジック装置、ディスクリートゲート又はトランジスタロジック装置、個別のハードウェアコンポーネントなどであってもよい。汎用プロセッサが、マイクロプロセッサであってもよく、又は、前記プロセッサが、任意の従来のプロセッサなどであってもよい。
【０１０１】
前記メモリ７４０は、読み取り専用メモリとランダムアクセスメモリを含んでもよく、命令とデータをプロセッサ７３０に提供する。メモリ７４０の一部はさらに、不揮発性ランダムアクセスメモリを含んでもよい。例えば、メモリ７４０はさらに、機器タイプの情報を格納してもよい。
【０１０２】
実現過程において、上記方法の各コンテンツは、プロセッサ７３０内のハードウェアの集積ロジック回路又はソフトウェア形の命令によって完成されることができる。本出願の実施例と組み合わせて開示された方法の内容が、ハードウェアプロセッサによって実行されるものとして、又はプロセッサ内のハードウェアとソフトウェアモジュールの組み合わせによって実行されるものとして直接具体化されてもよい。ソフトウェアモジュールが、ランダムアクセスメモリ、フラッシュメモリ、読み取り専用メモリ、プログラマブル読み取り専用メモリ、又は電気的消去可能プログラマブルメモリ、レジスタなどの本分野における成熟した記憶媒体にあってよい。前記記憶媒体がメモリ７４０にあり、プロセッサ７３０がメモリ７４０内の情報を読み取り、そのハードウェアを組み合わせて上記方法の内容を完了させる。繰り返しを避けるため、ここでは詳しく説明しない。
【０１０３】
１つの具体的な実施形態では、図５における端末機器５００に含まれる決定モジュール５１０が、図７のプロセッサ７３０によって実現されることができ、図５における端末機器５００に含まれるアクセスモジュール５２０が、図７の前記入力インターフェース７１０及び前記出力インターフェース７２０によって実現されることができる。
【０１０４】
本出願の実施例はさらに、コンピュータ可読記憶媒体を提出し、当該コンピュータ可読記憶媒体が１つ又は複数のプログラムを格納し、当該１つ又は複数のプログラムが命令を含み、当該命令が複数のアプリケーションプログラムを含む携帯型電子機器によって実行される場合、当該携帯型電子機器が図２及び図３に示す実施例の方法を実行させることができる。
【０１０５】
本出願の実施例はさらに、コンピュータプログラムを提出し、当該コンピュータプログラムが命令を含み、当該コンピュータプログラムがコンピュータによって実行されるとき、コンピュータに図２及び図３に示す実施例の方法の対応するプロセスを実行させることができる。
【０１０６】
当業者は、本明細書で開示される実施例と組み合わせて説明される各例のユニット及びアルゴリズムステップが、電子ハードウェア、又はコンピュータソフトウェア及び電子ハードウェアの組み合わせによって実現されることができることを理解することができる。これらの機能がハードウェアで実行されるか、ソフトウェアで実行されるかは、技術的解決手段の特定のアプリケーションと設計上の制約条件に依存する。専門の技術者は、特定のアプリケーションごとに説明された機能を実施させるために異なる方法を使用できるが、この種の実現は、本出願の実施例の範囲を超えると見なされるべきではない。
【０１０７】
当業者は、説明の便宜と簡潔のために、上記説明されるシステム、装置、及びユニットの具体的な作業プロセスは、上記方法の実施例における対応するプロセスを参照することができると明確に理解することができ、ここでは説明を省略する。
【０１０８】
本出願で提供されるいくつかの実施例では、開示されたシステム、装置、及び方法は、他の方式で実施されることができると理解すべきである。例えば、上記説明される装置の実施例は概略的なものにすぎず、例えば、前記ユニットの分割は論理機能上の分割にすぎず、実際に実施する際に別の形態で分割してもよく、例えば、複数のユニット又はコンポーネントを別のシステムに組み合わせもしくは集積させたり、又は一部の特徴を反映させず、実行しなくてもよい。また、表示又は検討した互いの結合又は直接的な結合又は通信接続は、いくつかのインターフェース、装置又はユニットを介した間接的結合又は通信接続であってもよく、電気的形態、機械的形態又はその他の形態であってもよい。
【０１０９】
前記分離される部品として説明されるユニットは、物理的に分離されるものでもよければ、分離されないものであってもよい。ユニットとして示される部品は、物理的なユニットであってもよいが、物理的なユニットでなくてもよい。即ち、同一の場所に設けられるものであってもよいが、複数のネットワークユニットに配置されるものであってもよい。必要に応じて、一部のユニットだけを用いるか、又はすべてのユニットを選択して本実施例の解決策の目的を達成することができる。
【０１１０】
また、本出願の各実施例における各機能ユニットが１つの処理ユニットに集積されてもよいが、各ユニットが単独で物理的な部品として存在するか、又は２つ以上のユニットが１つのユニットに集積されてもよい。
【０１１１】
前記機能が、ソフトウェア機能ユニットの形で実施され、独立した製品として販売または使用される場合、１つのコンピュータ読み取り可能な記憶媒体に記憶されることができる。このような理解に基づいて、本出願の技術的解決手段は、本質的に、従来の技術に寄与する部分であるか、当該技術的解決手段の一部が、ソフトウェア製品の形で具現化されることができ、前記コンピュータソフトウェア製品は、１つの記憶媒体に記憶され、コンピュータデバイス（パーソナルコンピュータ、サーバー、又はネットワークデバイスなどであってもよい）に、本願の各実施例で説明した方法のステップのすべて又は一部を実行させるためのいくつかの命令を含む。上記の記憶媒体は、Ｕディスク、モバイルハードディスク、読み取り専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、又はコンパクトディスクなどのプログラムコードを記憶できるさまざまな媒体を含む。
【０１１２】
以上の内容は、本出願の実施例の具体的実施形態にすぎず、本出願の保護範囲はこれらに限定されず、当業者であれば、本出願の実施例で開示される技術的範囲内に、容易に想像しうるすべての変更又は置換は、いずれも本出願の保護範囲内に含まれるべきである。したがって、本出願の保護範囲を、特許請求の保護範囲に従うものとする。
【図１】
2021520089.tif 000003
【図２】
2021520089.tif 000004
【図３】
2021520089.tif 000005
【図４】
2021520089.tif 000006
【図５】
2021520089.tif 000007
【図６】
2021520089.tif 000008
【図７】
2021520089.tif 000009
【手続補正書】
【提出日】令和3年2月10日(2021.2.10)
【手続補正１】
【補正対象書類名】特許請求の範囲
【補正対象項目名】全文
【補正方法】変更
【補正の内容】
【特許請求の範囲】
【請求項１】
ランダムアクセスのための方法であって、
端末機器がランダムアクセスイベントの優先度に従って前記ランダムアクセスイベントのバックオフ時間を決定し、第１の優先度のランダムアクセスイベントが第１のバックオフ時間範囲に対応し、第２の優先度のランダムアクセスイベントが第２のバックオフ時間範囲に対応し、前記第１の優先度が前記第２の優先度より高くし、前記第１のバックオフ時間範囲と前記第２のバックオフ時間範囲が重複しないことと、
前記バックオフ時間の後、前記端末機器がランダムアクセスプロセスを再開することと、を含むことを特徴とするランダムアクセスのための方法。
【請求項２】
前記第１のバックオフ時間範囲の最大バックオフ時間がＫ＊Ｔであり、前記第２のバックオフ時間範囲の最小バックオフ時間が前記Ｋ＊Ｔ以上であり、そのうち、０＜Ｋ＜１であり、前記ＴがバックオフインジケーターＢＩを通じてネットワーク機器によって指示されることを特徴とする請求項１に記載の方法。
【請求項３】
前記端末機器がランダムアクセスイベントの優先度に従って前記ランダムアクセスイベントのバックオフ時間を決定することは、
前記ランダムアクセスイベントの優先度が前記第１の優先度である場合、前記端末機器が、０と前記Ｋ＊Ｔの間に第１の時間をランダムに選択し、前記第１の時間に調整係数を掛けることによって得られる時間値を前記ランダムアクセスイベントのバックオフ時間として使用することを含むことを特徴とする請求項２に記載の方法。
【請求項４】
端末機器であって、
ランダムアクセスイベントの優先度に従って前記ランダムアクセスイベントのバックオフ時間を決定するための決定モジュールであって、第１の優先度のランダムアクセスイベントが第１のバックオフ時間範囲に対応し、第２の優先度のランダムアクセスイベントが第２のバックオフ時間範囲に対応し、前記第１の優先度が前記第２の優先度より高くし、前記第１のバックオフ時間範囲と前記第２のバックオフ時間範囲が重複しない決定モジュールと、
前記バックオフ時間の後にランダムアクセスプロセスを再開するためのアクセスモジュールと、を含むことを特徴とする端末機器。
【請求項５】
前記第１のバックオフ時間範囲の最大バックオフ時間がＫ＊Ｔであり、そのうち、０＜Ｋ＜１であり、前記ＴがバックオフインジケーターＢＩを通じてネットワーク機器によって指示され、前記第２のバックオフ時間範囲の最小バックオフ時間が前記Ｋ＊Ｔ以上であることを特徴とする請求項４に記載の端末機器。
【請求項６】
前記決定モジュールは具体的に、
前記ランダムアクセスイベントの優先度が前記第１の優先度である場合、０と前記Ｋ＊Ｔの間に第１の時間をランダムに選択し、前記第１の時間に調整係数を掛けることによって得られる時間値を前記ランダムアクセスイベントのバックオフ時間として使用するためのものであることを特徴とする請求項５に記載の端末機器。
【請求項７】
前記調整係数が、ネットワーク機器によって設定され、前記第１の優先度のランダムアクセスイベントのバックオフ時間を調整するために使用され、前記調整係数が１未満の正数であることを特徴とする請求項６に記載の端末機器。
【請求項８】
前記決定モジュールはさらに、
前記ランダムアクセスイベントの優先度が前記第２の優先度である場合、前記ランダムアクセスイベントのバックオフ時間として、前記Ｋ＊ＴとＴの間に第２の時間をランダムに選択するためのものであることを特徴とする請求項５に記載の端末機器。
【請求項９】
前記Ｋがネットワーク機器によって設定されることを特徴とする請求項５〜請求項８のいずれか１項に記載の端末機器。
【請求項１０】
前記Ｋが１／２であることを特徴とする請求項５〜請求項９のいずれか１項に記載の端末機器。
【請求項１１】
前記第１のバックオフ時間範囲の最大バックオフ時間がｆ＊Ｔであり、前記第２のバックオフ時間範囲の最小バックオフ時間が前記ｆ＊Ｔ以上であり、そのうち、０＜ｆ＜１であり、前記ＴがバックオフインジケーターＢＩを通じてネットワーク機器によって指示され、前記ｆがネットワーク機器によって設定される調整係数であることを特徴とする請求項４に記載の端末機器。
【請求項１２】
前記決定モジュールはさらに、
前記ランダムアクセスイベントの優先度が前記第１の優先度である場合、前記ランダムアクセスイベントのバックオフ時間として、０と前記ｆ＊Ｔの間に第３の時間をランダムに選択するためのものであることを特徴とする請求項１１に記載の端末機器。
【請求項１３】
前記決定モジュールはさらに、
前記ランダムアクセスイベントの優先度が前記第２の優先度である場合、前記ランダムアクセスイベントのバックオフ時間として、前記ｆ＊ＴとＴの間に第４の時間をランダムに選択するためのものであることを特徴とする請求項１１に記載の端末機器。
【請求項１４】
前記第１の優先度のランダムアクセスイベントがハンドオーバーとビーム障害回復ＢＦＲによるランダムアクセスを含み、前記第２の優先度のランダムアクセスイベントが前記第１の優先度のランダムアクセスイベント以外の他のランダムアクセスイベントを含むことを特徴とする請求項４〜請求項１３のいずれか１項に記載の端末機器。
【請求項１５】
端末機器であって、
ランダムアクセスイベントの優先度に従って前記ランダムアクセスイベントのバックオフ時間を決定するための決定モジュールであって、第１の優先度のランダムアクセスイベントと第２の優先度のランダムアクセスイベントが同じバックオフ時間範囲に対応し、前記第１の優先度が前記第２の優先度より高い決定モジュールと、
前記バックオフ時間の後にランダムアクセスプロセスを再開するためのアクセスモジュールと、を含むことを特徴とする端末機器。
【手続補正２】
【補正対象書類名】明細書
【補正対象項目名】全文
【補正方法】変更
【補正の内容】
【発明の詳細な説明】
【技術分野】
【０００１】
本出願の実施例は、通信分野に関し、特にランダムアクセスのための方法及び端末機器に関する。
【背景技術】
【０００２】
ロングタームエボリューション（Ｌｏｎｇ  Ｔｅｒｍ  Ｅｖｏｌｕｔｉｏｎ、ＬＴＥ（登録商標））システムでは、ネットワークは、端末機器がランダムアクセスプリアンブル（Ｐｒｅａｍｂｌｅ）の再送信を待機する時間範囲を、バックオフインジケーター（Ｂａｃｋｏｆｆ  Ｉｎｄｉｃａｔｏｒ、ＢＩ）を通じて指示することができる。端末機器は、ランダムアクセス応答（Ｒａｎｄｏｍ  Ａｃｃｅｓｓ  Ｒｅｓｐｏｎｓｅ、ＲＡＲ）の受信に失敗する場合、又は４番目のランダムアクセスメッセージ（つまり、Ｍｓｇ４）を受信し、当該Ｍｓｇ４に従って競合の解決が失敗すると決定した後、０からＢＩまでの１つの時間をランダムに選択し、当該時間の後にランダムアクセスプロセスを再開することができる。
【０００３】
第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ（登録商標））の議論によると、ハンドオーバー（ｈａｎｄｏｖｅｒ）とビーム障害回復（Ｂｅａｍ  Ｆａｉｌｕｒｅ  Ｒｅｃｏｖｅｒｙ、ＢＦＲ）によるランダムアクセスの優先度がより高いと決定されるため、高優先度のランダムアクセスプロセスを最適化することができる。具体的には、高優先度のランダムアクセスイベントのバックオフ時間を選択するために、調整係数（ｓｃａｌｉｎｇ  ｆａｃｔｏｒ）の概念が導入され、高優先度のランダムアクセスイベントのバックオフ時間が、ＢＩ＊ｓｃａｌｉｎｇ  ｆａｃｔｏｒに従って決定されることができ、つまり、高優先度のランダムアクセスプロセスのバックオフ時間が０からＢＩ＊ｓｃａｌｉｎｇ  ｆａｃｔｏｒまで選択されることができるが、低優先度のランダムアクセスイベントのバックオフ時間が依然として０からＢＩまで選択され、この場合には、０〜ＢＩ＊ｓｃａｌｉｎｇ  ｆａｃｔｏｒ内では、高優先度のランダムアクセスと低優先度のランダムアクセスが依然として衝突してしまう。
【発明の概要】
【発明が解決しようとする課題】
【０００４】
異なる優先度のランダムアクセスイベントの衝突を回避できるランダムアクセスのための方法及び端末機器を提供する。
【課題を解決するための手段】
【０００５】
第１の態様では、ランダムアクセスのための方法を提供し、前記方法は、端末機器がランダムアクセスイベントの優先度に従って前記ランダムアクセスイベントのバックオフ時間を決定し、前記第１の優先度のランダムアクセスイベントが第１のバックオフ時間範囲に対応し、第２の優先度のランダムアクセスイベントが第２のバックオフ時間範囲に対応し、前記第１の優先度が前記第２の優先度より高くし、前記第１のバックオフ時間範囲と前記第２のバックオフ時間範囲が重複しないことと、前記バックオフ時間の後、前記端末機器がランダムアクセスプロセスを再開することと、を含む。
【０００６】
このため、本出願の実施例のランダムアクセスのための方法により、異なる優先度のランダムアクセスイベントは、異なるバックオフ時間範囲に対応することができ、これによりランダムアクセスが再開されるとき、異なる優先度のランダムアクセスイベントの衝突問題を回避することに有利である。
【０００７】
いくつかの可能な実施形態では、前記第１のバックオフ時間範囲の最大バックオフ時間がＫ＊Ｔであり、前記第２のバックオフ時間範囲の最小バックオフ時間が前記Ｋ＊Ｔ以上であり、そのうち、０＜Ｋ＜１であり、前記ＴがバックオフインジケーターＢＩを通じてネットワーク機器によって指示される。
【０００８】
いくつかの可能な実施形態では、前記端末機器がランダムアクセスイベントの優先度に従って前記ランダムアクセスイベントのバックオフ時間を決定することは、
前記ランダムアクセスイベントの優先度が前記第１の優先度である場合、前記端末機器が、０と前記Ｋ＊Ｔの間に第１の時間をランダムに選択し、前記第１の時間に調整係数を掛けることによって得られる時間値を前記ランダムアクセスイベントのバックオフ時間として使用することを含む。
【０００９】
例えば、前記第１のバックオフ時間範囲の上限がＫ＊Ｔであってよく、前記第１のバックオフ時間範囲の下限が０であってよく、高優先度のランダムアクセスイベントの場合、前記端末機器は、０〜Ｋ＊Ｔの間にＴ１をランダムに選択し、当該Ｔ１＊ｆａｃｔｏｒによって得られる時間値を当該ランダムアクセスイベントのバックオフ時間として決定することができる。
【００１０】
いくつかの可能な実施形態では、前記調整係数が、ネットワーク機器によって設定され、前記第１の優先度のランダムアクセスイベントのバックオフ時間を調整するために使用され、前記調整係数が１未満の正数である。
【００１１】
いくつかの可能な実施形態では、前記端末機器がランダムアクセスイベントの優先度に従って前記ランダムアクセスイベントのバックオフ時間を決定することは、
前記ランダムアクセスイベントの優先度が前記第２の優先度である場合、前記端末機器が、前記ランダムアクセスイベントのバックオフ時間として、前記Ｋ＊ＴとＴの間に第２の時間をランダムに選択することを含む。
【００１２】
即ち、前記第１のバックオフ時間範囲の上限がＫ＊Ｔであってよく、前記第１のバックオフ時間範囲の下限が０であってよく、前記第２のバックオフ時間範囲の下限がＫ＊Ｔであってよく、前記第２のバックオフ時間範囲の上限がＴであってよく、このようにして、異なる優先度のランダムアクセスイベントが異なるバックオフ時間範囲に対応するため、異なる優先度のランダムアクセスイベントの場合、決定されたバックオフ時間が異なるバックオフ時間範囲にあり、異なる優先度のランダムアクセスイベントの衝突問題を回避することができる。
【００１３】
選択的に、前記Ｋがネットワーク機器によって設定される。
【００１４】
選択的に、前記Ｋが１／２である。
【００１５】
いくつかの可能な実施形態では、前記第１のバックオフ時間範囲の最大バックオフ時間がｆ＊Ｔであり、前記第２のバックオフ時間範囲の最小バックオフ時間が前記ｆ＊Ｔ以上であり、そのうち、０＜ｆ＜１であり、前記ＴがバックオフインジケーターＢＩを通じてネットワーク機器によって指示され、前記ｆがネットワーク機器によって設定される調整係数である。
【００１６】
いくつかの可能な実施形態では、前記端末機器がランダムアクセスイベントの優先度に従って前記ランダムアクセスイベントのバックオフ時間を決定することは、
前記ランダムアクセスイベントの優先度が前記第１の優先度である場合、前記端末機器が、前記ランダムアクセスイベントのバックオフ時間として、０と前記ｆ＊Ｔの間に第３の時間をランダムに選択することを含む。
【００１７】
いくつかの可能な実施形態では、前記端末機器がランダムアクセスイベントの優先度に従って前記ランダムアクセスイベントのバックオフ時間を決定することは、
前記ランダムアクセスイベントの優先度が前記第２の優先度である場合、前記端末機器が、前記ランダムアクセスイベントのバックオフ時間として、前記ｆ＊ＴとＴの間に第４の時間をランダムに選択することを含む。
【００１８】
即ち、前記第１のバックオフ時間範囲の上限がｆ＊Ｔであってもよく、前記第１のバックオフ時間範囲の下限が０であってもよく、前記第２のバックオフ時間範囲の下限がｆ＊Ｔであってもよく、前記第２のバックオフ時間範囲の上限がＴであってもよく、このようにして、異なる優先度のランダムアクセスイベントが異なるバックオフ時間範囲に対応するため、異なる優先度のランダムアクセスイベントの場合、決定されたバックオフ時間が異なるバックオフ時間範囲にあり、異なる優先度のランダムアクセスイベントの衝突問題を回避することができる。
【００１９】
いくつかの可能な実施形態では、前記第１の優先度のランダムアクセスイベントが、ハンドオーバーとビーム障害回復ＢＦＲによるランダムアクセスを含み、前記第２の優先度のランダムアクセスイベントが、第１の優先度のランダムアクセスイベント以外の他のランダムアクセスイベントを含む。
【００２０】
第２の態様では、ランダムアクセスのための方法を提供し、前記方法は、
端末機器がランダムアクセスイベントの優先度に従って前記ランダムアクセスイベントのバックオフ時間を決定し、前記第１の優先度のランダムアクセスイベントと第２の優先度のランダムアクセスイベントが同じバックオフ時間範囲に対応し、前記第１の優先度が前記第２の優先度より高くすることと、前記バックオフ時間の後、前記端末機器がランダムアクセスプロセスを再開することと、を含む。
【００２１】
よって、異なる優先度のランダムアクセスイベントが同じバックオフ時間範囲に対応することができるが、前記端末機器は、ランダムアクセスイベントの優先度に従って、当該同じバックオフ時間範囲と組み合わせて当該ランダムアクセスイベントのバックオフ時間を決定することができ、例えば、優先度の高いランダムアクセスイベントの場合、前記端末機器が、当該バックオフ時間範囲内の時間値をランダムに選択し、当該時間値に特定のスケール係数（１未満）を掛けることによって得られる時間値を、当該ランダムアクセスイベントのバックオフ時間として決定することができ、あるいは、優先度の低いランダムアクセスイベントの場合、前記端末機器が、当該バックオフ時間範囲内の時間値をランダムに選択し、当該時間値を当該ランダムアクセスイベントのバックオフ時間として決定することができる。これにより、優先度の高いランダムアクセスイベントのランダムアクセスをできるだけ早く再開することができ、同時に、異なる優先度のランダムアクセスイベントが同じバックオフ時間範囲に対応するが、バックオフ時間を決定するための具体的な方法が異なるため、異なる優先度のランダムアクセスイベントの衝突問題をある程度減らすことができる。
【００２２】
いくつかの可能な実施形態では、前記同じバックオフ時間範囲内の最大バックオフ時間がＴであり、前記ＴがバックオフインジケーターＢＩを通じてネットワーク機器によって指示される。
【００２３】
いくつかの可能な実施形態では、前記端末機器は、ランダムアクセスイベントの優先度に従って前記ランダムアクセスイベントのバックオフ時間を決定することは、
前記ランダムアクセスイベントの優先度が前記第１の優先度である場合、前記端末機器が、０と前記Ｔの間に第５の時間をランダムに選択し、前記第５の時間に調整係数を掛けることによって得られる時間値を前記ランダムアクセスイベントのバックオフ時間として使用することを含む。
【００２４】
いくつかの可能な実施形態では、前記調整係数が、ネットワーク機器によって設定され、前記第１の優先度のランダムアクセスイベントのバックオフ時間を調整するために使用され、前記調整係数が１未満の正数である。
【００２５】
いくつかの可能な実施形態では、前記端末機器がランダムアクセスイベントの優先度に従って前記ランダムアクセスイベントのバックオフ時間を決定することは、
前記ランダムアクセスイベントの優先度が前記第２の優先度である場合、前記端末機器が、前記ランダムアクセスイベントのバックオフ時間として、前記０とＴの間に第６の時間をランダムに選択することを含む。
【００２６】
いくつかの可能な実施形態では、前記第１の優先度のランダムアクセスイベントが、ハンドオーバーとビーム障害回復ＢＦＲによるランダムアクセスイベントを含み、前記第２の優先度のランダムアクセスイベントが、前記第１の優先度のランダムアクセスイベント以外の他のランダムアクセスイベントを含む。
【００２７】
第３の態様では、上記第１の態様又は第１の態様の任意の可能な実施形態での方法を実行するための端末機器を提供する。具体的には、当該端末機器が、上記第１の態様又は第１の態様の任意の可能な実施形態での方法を実行するためのユニットを含む。
【００２８】
第４の態様では、メモリ、プロセッサ、入力インターフェース、及び出力インターフェースを含む端末機器を提供する。メモリ、プロセッサ、入力インターフェース、及び出力インターフェースがバスシステムで接続される。当該メモリが命令を格納するために使用され、当該プロセッサが当該メモリに格納された命令を実行するために使用され、上記第１の態様又は第１の態様の任意の可能な実施形態での方法を実行するために使用される。
【００２９】
第５の態様では、上記第２の態様又は第２の態様の任意の可能な実施形態での方法を実行するための端末機器を提供する。具体的には、当該端末機器は、上記第２の態様又は第２の態様の任意の可能な実施形態での方法を実行するためのユニットを含む。
【００３０】
第６の態様では、メモリ、プロセッサ、入力インターフェース、及び出力インターフェースを含む端末機器を提供する。メモリ、プロセッサ、入力インターフェース、及び出力インターフェースがバスシステムで接続される。当該メモリが命令を格納するために使用され、当該プロセッサがメモリに格納された命令を実行するために使用され、上記第２の態様又は第２の態様の任意の可能な実施形態での方法を実行するために使用される。
【００３１】
第７の態様では、上記第１の態様又は第１の態様の任意の可能な実施形態での方法を実行するために使用されるコンピュータソフトウェア命令を格納するためのコンピュータ記憶媒体を提供し、当該コンピュータ記憶媒体が上記態様を実行するために設計されたプログラムを含む。
【００３２】
第８の態様では、命令を含むコンピュータプログラム製品を提供し、当該コンピュータプログラム製品がコンピュータ上で実行されるとき、コンピュータに上記第１の態様又は第１の態様の任意の選択可能な実施形態での方法を実行させる。
【００３３】
第９の態様では、上記第２の態様又は第２の態様の任意の可能な実施形態での方法を実行するために使用されるコンピュータソフトウェア命令を格納するためのコンピュータ記憶媒体を提供し、当該コンピュータ記憶媒体が上記態様を実行するために設計されたプログラムを含む。
【００３４】
第１０の態様では、命令を含むコンピュータプログラム製品を提供し、当該コンピュータプログラム製品がコンピュータ上で実行されるとき、コンピュータに上記第２の態様又は第２の態様の任意の選択可能な実施形態での方法を実行させる。
【図面の簡単な説明】
【００３５】
【図１】本出願の実施例に係る応用シーンの概略図を示す。
【図２】本出願の実施例に係るランダムアクセスのための方法の概略フローチャートを示す。
【図３】本出願のもう１つの実施例に係るランダムアクセスのための方法の概略フローチャートを示す。
【図４】本出願の実施例に係る端末機器の概略ブロック図を示す。
【図５】本出願のもう１つの実施例に係る端末機器の概略ブロック図を示す。
【図６】本出願の実施例に係る端末機器の概略ブロック図を示す。
【図７】本出願のもう１つの実施例に係る端末機器の概略ブロック図を示す。
【発明を実施するための形態】
【００３６】
以下、本出願の実施例に係る技術的解決手段について、図面を参考にして説明する。
【００３７】
本出願の実施例の技術的解決手段は、様々な通信システム、例えば、ロングタームエボリューション（Ｌｏｎｇ  Ｔｅｒｍ  Ｅｖｏｌｕｔｉｏｎ、ＬＴＥ）システム、ＬＴＥ周波数分割デュプレックス（Ｆｒｅｑｕｅｎｃｙ  Ｄｉｖｉｓｉｏｎ  Ｄｕｐｌｅｘ、ＦＤＤ）システム、ＬＴＥ時分割デュプレックス（Ｔｉｍｅ  Ｄｉｖｉｓｉｏｎ  Ｄｕｐｌｅｘ、ＴＤＤ）、又は将来の５Ｇシステムなどに適用されることができる。
【００３８】
図１は、本出願の実施例に適用される無線通信システム１００を示す。当該無線通信システム１００がネットワーク機器１１０を含んでよい。ネットワーク機器１１０が、端末機器と通信する機器であってよい。ネットワーク機器１１０が、特定の地理的エリアに通信カバレッジを提供することができ、当該カバレッジエリアに位置する端末機器（例えば、ＵＥ）と通信することができる。選択的に、当該ネットワーク機器１１０が、ＬＴＥシステムでの進化型基地局（Ｅｖｏｌｕｔｉｏｎａｌ  Ｎｏｄｅ  Ｂ、ｅＮＢ又はｅＮｏｄｅＢ）、又は、当該ネットワーク機器が、リレーステーション、アクセスポイント、車載機器、ウェアラブル機器、将来の５Ｇネットワークでのネットワーク側の機器又は将来進化する公衆陸上移動ネットワーク（Ｐｕｂｌｉｃ  Ｌａｎｄ  Ｍｏｂｉｌｅ  Ｎｅｔｗｏｒｋ、ＰＬＭＮ）でのネットワーク機器などであってもよい。
【００３９】
当該無線通信システム１００はさらに、ネットワーク機器１１０のカバレッジエリア内に位置する少なくとも１つの端末機器１２０を含む。端末機器１２０が、可動式であってもよく、固定式であってもよい。選択的に、端末機器１２０が、アクセス端末、ユーザ機器（Ｕｓｅｒ  Ｅｑｕｉｐｍｅｎｔ、ＵＥ）、ユーザユニット、ユーザステーション、モバイルテーション、モバイル局、リモートステーション、リモート端末、モバイル機器、ユーザ端末、端末、無線通信機器、ユーザエージェント又はユーザ装置を指してもよい。アクセス端末が、セルラー電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）ステーション、パーソナルデジタルプロセッシング（Ｐｅｒｓｏｎａｌ  Ｄｉｇｉｔａｌ  Ａｓｓｉｓｔａｎｔ、ＰＤＡ）、ワイヤレス通信機能付きのハンドヘルド機器、コンピューティング機器又はワイヤレスモデムに接続されたほかのプロセッシング機器、車載機器、ウェアラブル機器及び将来の５Ｇネットワークでの端末機器又は将来進化するＰＬＭＮでの端末機器などであってもよい。
【００４０】
図２は、本出願の実施例に係るランダムアクセスのための方法２００の概略フローチャートであり、当該方法２００が、図１に示される通信システム内の端末機器によって実行されることができる。図２に示すように、当該方法２００は、
端末機器がランダムアクセスイベントの優先度に従って前記ランダムアクセスイベントのバックオフ時間を決定し、前記第１の優先度のランダムアクセスイベントが第１のバックオフ時間範囲に対応し、第２の優先度のランダムアクセスイベントが第２のバックオフ時間範囲に対応し、前記第１の優先度が前記第２の優先度より高くし、前記第１のバックオフ時間範囲と前記第２のバックオフ時間範囲が重複しないＳ２１０と、
前記バックオフ時間後、前記端末機器がランダムアクセスプロセスを再開するＳ２２０と、を含む。
【００４１】
よって、本出願の実施例のランダムアクセスのための方法により、異なる優先度のランダムアクセスイベントは、異なるバックオフ時間範囲に対応することができ、これによりランダムアクセスが再開されるとき、異なる優先度のランダムアクセスイベントの衝突問題を回避することに有利である。
【００４２】
理解すべきものとして、本出願の実施例では、バックオフ時間が、ランダムアクセスの失敗から次のランダムアクセスの再開までの待ち時間であり、選択的に、前記端末機器が、ＲＡＲの受信に失敗する場合、又はＭｓｇ４を受信し、当該Ｍｓｇ４に従って競合の解決が失敗すると決定する場合、ランダムアクセスが失敗すると決定することができる。
【００４３】
選択的に、本出願の実施例では、前記第１の優先度のランダムアクセスイベントが、ハンドオーバー（ｈａｎｄｏｖｅｒ）とビーム障害回復（Ｂｅａｍ  Ｆａｉｌｕｒｅ  Ｒｅｃｏｖｅｒｙ、ＢＦＲ）によるランダムアクセスを含み、前記第２の優先度のランダムアクセスイベントが、前記第１の優先度のランダムアクセスイベント以外の他のランダムアクセスイベントを含み、第１の優先度のランダムアクセスイベントの優先度がより高い。
【００４４】
選択的に、本出願の実施例では、前記第１の優先度のランダムアクセスイベントが第１のバックオフ時間範囲に対応し、第２の優先度のランダムアクセスイベントが第２のバックオフ時間範囲に対応し、前記第１のバックオフ時間範囲と前記第２のバックオフ時間範囲が重複しない。
【００４５】
ここで、前記第１のバックオフ時間範囲と前記第２のバックオフ時間範囲が重複しないことは、前記第１のバックオフ時間範囲と前記第２のバックオフ時間範囲が全く重複しないことであってもよく、例えば、第１のバックオフ時間範囲が０〜Ｔ／３であり、第２のバックオフ時間範囲がＴ／２〜Ｔであり、又は前記第１のバックオフ時間範囲と前記第２のバックオフ時間範囲が終了位置で重複することであってもよく、例えば、第１のバックオフ時間範囲が０〜Ｔ／２であり、第２のバックオフ時間範囲がＴ／２〜Ｔである。
【００４６】
選択的に、いくつかの実施例では、前記第１のバックオフ時間範囲の最大バックオフ時間が前記第２のバックオフ時間範囲の最小バックオフ時間以下にあってもよく、即ち、高優先度のランダムアクセスイベントのバックオフ時間はより短くて、これにより高優先度のランダムアクセスイベントがランダムアクセスをできるだけ早く再開できるため、アクセス遅延を減らし、ユーザ体験を向上させることができる。
【００４７】
以下、実施例１及び実施例２に関連して、バックオフ時間の決定方法について詳細に説明する。
【００４８】
実施例１では、前記第１のバックオフ時間範囲の最大バックオフ時間がＫ＊Ｔであり、前記第２のバックオフ時間範囲の最小バックオフ時間が前記Ｋ＊Ｔ以上であり、そのうち、０＜Ｋ＜１であり、前記ＴがバックオフインジケーターＢＩを通じてネットワーク機器によって指示される。
【００４９】
具体的には、端末機器が、ネットワーク機器によって送信されたＢＩに従って時長Ｔを決定でき、さらに、端末機器が、当該時長Ｔにスケール係数Ｋを掛けることによって得られる時長値を、高優先度のランダムアクセスイベントの最大バックオフ時間（即ちＫ＊Ｔ）として使用し、高優先度のランダムアクセスイベントがランダムアクセスをできるだけ早く再開できるようにするには、０＜Ｋ＜１を選択できる。同時に、前記第２のバックオフ時間範囲の最小バックオフ時間がＫ＊Ｔ以上に設定できることによって、異なる優先度のランダムアクセスイベントのバックオフ時間が重複せず、さらに異なる優先度のランダムアクセスイベントの衝突問題を回避できる。
【００５０】
選択的に、本出願の実施例では、前記Ｋがネットワークによって設定されてもよく、又はプロトコルによって合意されてもよく、本出願の実施例はこれを限定しない。
【００５１】
選択的に、いくつかの実施例では、前記Ｋが１／２又は１／３などであってもよく、本出願の実施例はこれを限定しない。
【００５２】
選択的に、いくつかの実施例では、Ｓ２１０は、
前記ランダムアクセスイベントの優先度が前記第１の優先度である場合、前記端末機器が、０と前記Ｋ＊Ｔの間に第１の時間をランダムに選択し、前記第１の時間に調整係数（ｆａｃｔｏｒ）を掛けることによって得られる時間値を、前記ランダムアクセスイベントのバックオフ時間として使用することを含んでもよい。
【００５３】
即ち、前記第１のバックオフ時間範囲の上限がＫ＊Ｔであってもよく、前記第１のバックオフ時間範囲の下限が０であってもよく、ランダムアクセスイベントの優先度が高優先度である場合、前記端末機器が、０〜Ｋ＊Ｔの間に第１の時間をランダムに選択し、当該第１の時間をＢＴ１として示し、そして当該ＢＴ１にｆａｃｔｏｒを掛けることによって得られる時間値を当該ランダムアクセスイベントのバックオフ時間として使用してもよい。
【００５４】
選択的に、本出願の実施例では、前記調整係数がネットワーク機器によって設定されるか、又はプロトコルによって合意され、当該調整係数が前記第１の優先度のランダムアクセスイベントのバックオフ時間を調整するために使用でき、前記調整係数が１未満の正数である。
【００５５】
選択的に、他の幾つかの実施例では、Ｓ２１０は、
前記ランダムアクセスイベントの優先度が前記第２の優先度である場合、前記端末機器が、前記ランダムアクセスイベントのバックオフ時間として、前記Ｋ＊ＴとＴの間に第２の時間をランダムに選択することを含んでもよい。
【００５６】
即ち、前記第２のバックオフ時間範囲の下限がＫ＊Ｔであってもよく、前記第２のバックオフ時間範囲の上限がＴであってもよく、ランダムアクセスイベントの優先度が低優先度である場合、前記端末機器が、Ｋ＊Ｔ〜Ｔの間に第２の時間をランダムに選択し、当該第２の時間をＢＴ２として示してもよく、さらに、当該ＢＴ２を当該ランダムアクセスイベントのバックオフ時間として使用してもよい。
【００５７】
当該実施例１では、異なる優先度のランダムアクセスイベントが異なるバックオフ時間範囲に対応するため、異なる優先度のランダムアクセスイベントに対して決定されたバックオフ時間の所在するバックオフ時間範囲も異なり、異なる優先度のランダムアクセスイベントの衝突問題を回避できる。
【００５８】
実施例２では、前記第１のバックオフ時間範囲の最大バックオフ時間がｆ＊Ｔであり、前記第２のバックオフ時間範囲の最小バックオフ時間がｆ＊Ｔ以上であり、そのうち、０＜ｆ＜１であり、前記ＴがバックオフインジケーターＢＩを通じてネットワーク機器によって指示され、前記ｆがネットワーク機器によって設定される調整係数である。
【００５９】
ここで、前記ｆが上記の調整係数ｆａｃｔｏｒに対応してもよく、即ち、当該実施例２では、前記第１のバックオフ時間範囲の上限がＢＩに従って決定された時長Ｔと調整係数ｆの積であってもよく、第２のバックオフ時間範囲の下限が時長Ｔと調整係数ｆの積以上であってもよく、よって、第１のバックオフ時間範囲と第２のバックオフ時間範囲が、それぞれ異なるバックオフ時間範囲に対応できることによって、異なる優先度のランダムアクセスイベントの衝突問題を回避することに有利である。
【００６０】
選択的に、いくつかの実施例では、前記Ｓ２１０は、
前記ランダムアクセスイベントの優先度が前記第１の優先度である場合、前記端末機器が、前記ランダムアクセスイベントのバックオフ時間として、０と前記ｆ＊Ｔの間に第３の時間をランダムに選択することを含んでもよい。
【００６１】
即ち、ランダムアクセスイベントの優先度が高優先度である場合、前記端末機器が、当該ランダムアクセスイベントのバックオフ時間として、０と前記ｆ＊Ｔの間に第３の時間をランダムに選択することができる。
【００６２】
選択的に、他のいくつかの実施例では、前記Ｓ２１０は、
前記ランダムアクセスイベントの優先度が前記第２の優先度である場合、前記ランダムアクセスイベントのバックオフ時間として、前記ｆ＊ＴとＴの間に第４の時間をランダムに選択することを含んでもよい。
【００６３】
即ち、ランダムアクセスイベントの優先度が低優先度である場合、前記端末機器が、当該ランダムアクセスイベントのバックオフ時間として、前記ｆ＊ＴとＴの間に第４の時間をランダムに選択することができる。
【００６４】
当該実施例２では、異なる優先度のランダムアクセスイベントが異なるバックオフ時間範囲に対応するため、異なる優先度のランダムアクセスイベントに対して決定されたバックオフ時間の所在するバックオフ時間範囲も異なり、異なる優先度のランダムアクセスイベントの衝突問題を回避できる。
【００６５】
理解すべきものとして、上記の実施例１と実施例２では、異なる優先度のランダムアクセスイベントに対応するバックオフ時間範囲は単なる例であり、前記第１のバックオフ時間範囲と前記第２のバックオフ時間範囲は他の時間範囲であってもよく、本出願の実施例がいかなる制限も構成しない。
【００６６】
図３は、本出願の別の実施例に係るランダムアクセスのための方法３００の概略フローチャートであり、当該方法３００が、図１に示される通信システム内の端末機器によって実行され、図３に示すように、当該方法３００は、
端末機器が、ランダムアクセスイベントの優先度に従って前記ランダムアクセスイベントのバックオフ時間を決定し、前記第１の優先度のランダムアクセスイベントと第２の優先度のランダムアクセスイベントが同じバックオフ時間範囲に対応し、前記第１の優先度が前記第２の優先度より高いＳ３１０と、
前記端末機器が、前記バックオフ時間後、ランダムアクセスプロセスを再開するＳ３２０と、を含む。
【００６７】
当該実施例では、異なる優先度のランダムアクセスイベントが同じバックオフ時間範囲に対応してもよく、前記端末機器が、ランダムアクセスイベントの優先度に従って、当該同じバックオフ時間範囲と組み合わせて当該ランダムアクセスイベントのバックオフ時間を決定してもよく、例えば、優先度の高いランダムアクセスイベントの場合、前記端末機器が、当該バックオフ時間範囲内の時間値をランダムに選択し、そして当該時間値に特定のスケール係数（１未満）を掛けることによって得られる時間値を、当該ランダムアクセスイベントのバックオフ時間として決定してもよく、あるいは、優先度の低いランダムアクセスイベントの場合、前記端末機器が、当該バックオフ時間範囲内の時間値をランダムに選択し、当該時間値を当該ランダムアクセスイベントのバックオフ時間として決定してもよい。これにより、優先度の高いランダムアクセスイベントがランダムアクセスをできるだけ早く再開することができ、同時に、異なる優先度のランダムアクセスイベントが同じバックオフ時間範囲に対応するが、バックオフ時間を決定するための具体的な方法が異なるため、異なる優先度のランダムアクセスイベントの衝突問題をある程度減らすことができる。
【００６８】
選択的に、いくつかの実施例では、前記同じバックオフ時間範囲の最大バックオフ時間はＴであり、前記Ｔが、バックオフインジケーターＢＩを通じてネットワーク機器によって指示される。
【００６９】
選択的に、いくつかの実施例では、前記端末機器がランダムアクセスイベントの優先度に従って前記ランダムアクセスイベントのバックオフ時間を決定することは、
前記ランダムアクセスイベントの優先度が前記第１の優先度である場合、前記端末機器は、０と前記Ｔの間に第５の時間をランダムに選択し、前記第５の時間に調整係数を掛けることによって得られる時間値を前記ランダムアクセスイベントのバックオフ時間として使用することを含む。
【００７０】
選択的に、いくつかの実施例では、前記調整係数が、ネットワーク機器によって設定され、前記第１の優先度のランダムアクセスイベントのバックオフ時間を調整するために使用され、前記調整係数が１未満の正数である。
【００７１】
ここでの調整係数は上記のｆａｃｔｏｒに対応することができ、具体的な実現プロセスは類似し、ここでは繰り返さない。
【００７２】
選択的に、いくつかの実施例では、Ｓ３１０は、
前記ランダムアクセスイベントの優先度が前記第２の優先度である場合、前記端末機器が、前記ランダムアクセスイベントのバックオフ時間として、前記０とＴの間に第６の時間をランダムに選択することを含んでもよい。
【００７３】
選択的に、本出願の実施例では、前記第１の優先度のランダムアクセスイベントが、ハンドオーバーとビーム障害回復ＢＦＲによるランダムアクセスを含み、前記第２の優先度のランダムアクセスイベントが、前記第１の優先度のランダムアクセスイベント以外の他のランダムアクセスイベントを含む。
【００７４】
以上では、図２と図３を組み合わせて、本出願の方法の実施例を詳細に説明し、以下では、図４から図７を組み合わせて、本出願の装置の実施例を詳細に説明し、理解すべきものとして、装置の実施例と方法の実施例が互いに対応し、同様の説明が方法の実施例を参照することができる。
【００７５】
図４は、本出願の実施例に係る端末機器４００の概略ブロック図を示す。図４に示すように、当該端末機器４００は、
ランダムアクセスイベントの優先度に従って前記ランダムアクセスイベントのバックオフ時間を決定するための決定モジュール４１０であって、前記第１の優先度のランダムアクセスイベントが第１のバックオフ時間範囲に対応し、第２の優先度のランダムアクセスイベントが第２のバックオフ時間範囲に対応し、前記第１の優先度が前記第２の優先度より高くし、前記第１のバックオフ時間範囲と前記第２のバックオフ時間範囲が重複しない決定モジュール４１０と、
前記バックオフ時間の後にランダムアクセスプロセスを再開するためのアクセスモジュール４２０と、を含む。
【００７６】
選択的に、いくつかの実施例では、前記第１のバックオフ時間範囲の最大バックオフ時間がＫ＊Ｔであり、そのうち、０＜Ｋ＜１であり、前記Ｔが、バックオフインジケーターＢＩを通じてネットワーク機器によって指示され、前記第２のバックオフ時間範囲の最小バックオフ時間が前記Ｋ＊Ｔ以上である。
【００７７】
選択的に、いくつかの実施例では、前記決定モジュール４１０は具体的に、
前記ランダムアクセスイベントの優先度が前記第１の優先度である場合、０と前記Ｋ＊Ｔの間に第１の時間をランダムに選択し、前記第１の時間に調整係数を掛けることによって得られる時間値を、前記ランダムアクセスイベントのバックオフ時間として使用するためのものである。
【００７８】
選択的に、いくつかの実施例では、前記調整係数が、ネットワーク機器によって設定され、前記第１の優先度のランダムアクセスイベントのバックオフ時間を調整するために使用され、前記調整係数が１未満の正数である。
【００７９】
選択的に、いくつかの実施例では、前記決定モジュール４１０はさらに、
前記ランダムアクセスイベントの優先度が前記第２の優先度である場合、前記ランダムアクセスイベントのバックオフ時間として、前記Ｋ＊ＴとＴの間に第２の時間をランダムに選択するためのものである。
【００８０】
選択的に、いくつかの実施例では、前記Ｋがネットワーク機器によって設定される。
【００８１】
選択的に、いくつかの実施例では、前記Ｋが１／２である。
【００８２】
選択的に、いくつかの実施例では、前記第１のバックオフ時間範囲の最大バックオフ時間がｆ＊Ｔであり、前記第２のバックオフ時間範囲の最小バックオフ時間が前記ｆ＊Ｔ以上であり、そのうち、０＜ｆ＜１であり、前記Ｔが、バックオフインジケーターＢＩを通じてネットワーク機器によって指示され、前記ｆが、ネットワーク機器によって設定される調整係数である。
【００８３】
選択的に、いくつかの実施例では、前記決定モジュール４１０はさらに、
前記ランダムアクセスイベントの優先度が前記第１の優先度である場合、前記ランダムアクセスイベントのバックオフ時間として、０と前記ｆ＊Ｔの間に第３の時間をランダムに選択するためのものである。
【００８４】
選択的に、いくつかの実施例では、前記決定モジュール４１０はさらに、
前記ランダムアクセスイベントの優先度が前記第２の優先度である場合、前記ランダムアクセスイベントのバックオフ時間として、前記ｆ＊ＴとＴの間に第４の時間をランダムに選択するためのものである。
【００８５】
選択的に、いくつかの実施例では、前記第１の優先度のランダムアクセスイベントが、ハンドオーバーとビーム障害回復ＢＦＲによるランダムアクセスを含み、前記第２の優先度のランダムアクセスイベントが、前記第１の優先度のランダムアクセスイベント以外の他のランダムアクセスイベントを含む。
【００８６】
理解すべきものとして、本出願の実施例に係る端末機器４００が、本出願の方法の実施例に係る端末機器に対応することができ、端末機器４００における各ユニットの上記及び他の動作及び／または機能が、図２に示される方法２００に係る端末機器の対応するプロセスをそれぞれ実施するために使用され、簡潔にするため、ここでは繰り返しない。
【００８７】
図５は、本出願の実施例に係る端末機器の概略ブロック図である。図５の端末機器５００は、
ランダムアクセスイベントの優先度に従って前記ランダムアクセスイベントのバックオフ時間を決定するための決定モジュール５１０であって、前記第１の優先度のランダムアクセスイベントと第２の優先度のランダムアクセスイベントが同じバックオフ時間範囲に対応し、前記第１の優先度が前記第２の優先度より高い決定モジュール５１０と、
前記バックオフ時間の後にランダムアクセスプロセスを再開するためのアクセスモジュール５２０と、を含む。
【００８８】
選択的に、いくつかの実施例では、前記同じバックオフ時間範囲の最大バックオフ時間がＴであり、前記Ｔが、バックオフインジケーターＢＩを通じてネットワーク機器によって指示される。
【００８９】
選択的に、いくつかの実施例では、前記決定モジュール５１０は具体的に、
前記ランダムアクセスイベントの優先度が前記第１の優先度である場合、０と前記Ｔの間に第５の時間をランダムに選択し、前記第５の時間に調整係数を掛けることによって得られる時間値を前記ランダムアクセスイベントのバックオフ時間として使用するためのものである。
【００９０】
選択的に、いくつかの実施例では、前記調整係数が、ネットワーク機器によって設定され、前記第１の優先度のランダムアクセスイベントのバックオフ時間を調整するために使用され、前記調整係数が１未満の正数である。
【００９１】
選択的に、いくつかの実施例では、前記決定モジュール５１０はさらに、
前記ランダムアクセスイベントの優先度が前記第２の優先度である場合、前記ランダムアクセスイベントのバックオフ時間として、前記０とＴの間に第６の時間をランダムに選択するためのものである。
【００９２】
選択的に、いくつかの実施例では、前記第１の優先度のランダムアクセスイベントが、ハンドオーバーとビーム障害回復ＢＦＲによるランダムアクセスイベントを含み、前記第２の優先度のランダムアクセスイベントが、前記第１の優先度のランダムアクセスイベント以外の他のランダムアクセスイベントを含む。
【００９３】
具体的には、当該端末機器５００が、上記方法３００で説明された端末機器に対応し（例えば、上記方法３００で説明された端末機器に配置されるか又は自体が上記方法３００で説明された端末機器であることができる）、さらに、当該端末機器５００における各モジュール又はユニットがそれぞれ、上記方法３００に係る端末機器によって実行される各動作又は処理プロセスを実行するために使用され、ここで、説明の重複を避けるため、その詳細な説明を省略する。
【００９４】
図６に示すように、本出願の実施例はさらに、端末機器６００を提供し、前記端末機器６００が、図２における方法２００に対応する端末機器のコンテンツを実行するために使用されることができ、図４の端末機器４００であってもよい。前記機器６００が、入力インターフェース６１０、出力インターフェース６２０、プロセッサ６３０、及びメモリ６４０を含み、前記入力インターフェース６１０、出力インターフェース６２０、プロセッサ６３０及びメモリ６４０がバスシステムによって接続されてもよい。前記メモリ６４０が、プログラム、命令又はコードを格納するために使用される。前記プロセッサ６３０が、前記メモリ６４０内のプログラム、命令又はコードを実行して、入力インターフェース６１０を制御して信号を受信し、出力インターフェース６２０を制御して信号を送信し、上記方法の実施例における操作を完了するために使用される。
【００９５】
理解すべきものとして、本出願の実施例では、前記プロセッサ６３０が中央処理ユニット（Ｃｅｎｔｒａｌ  Ｐｒｏｃｅｓｓｉｎｇ  Ｕｎｉｔ、「ＣＰＵ」と略称）であってもよく、なお、前記プロセッサ６３０が、ほかの汎用プロセッサ、デジタル信号プロセッサ（ＤＳＰ）、特定用途向け集積回路（ＡＳＩＣ）、フィールドプログラマブルゲートアレイ（ＦＰＧＡ）又はこのほかのプログラマブルロジック装置、ディスクリートゲート又はトランジスタロジック装置、個別のハードウェアコンポーネントなどであってもよい。汎用プロセッサが、マイクロプロセッサであってもよく、又は、前記プロセッサが、任意の従来のプロセッサなどであってもよい。
【００９６】
前記メモリ６４０は、読み取り専用メモリとランダムアクセスメモリを含んでもよく、命令とデータをプロセッサ６３０に提供する。メモリ６４０の一部はさらに、不揮発性ランダムアクセスメモリを含んでもよい。例えば、メモリ６４０はさらに、機器タイプの情報を格納してもよい。
【００９７】
実現過程において、上記方法の各コンテンツは、プロセッサ６３０内のハードウェアの集積ロジック回路又はソフトウェア形の命令によって完成されることができる。本出願の実施例と組み合わせて開示された方法の内容が、ハードウェアプロセッサによって実行されるものとして、又はプロセッサ内のハードウェアとソフトウェアモジュールの組み合わせによって実行されるものとして直接具体化されてもよい。ソフトウェアモジュールが、ランダムアクセスメモリ、フラッシュメモリ、読み取り専用メモリ、プログラマブル読み取り専用メモリ、又は電気的消去可能プログラマブルメモリ、レジスタなどの本分野における成熟した記憶媒体にあってよい。前記記憶媒体がメモリ６４０にあり、プロセッサ６３０がメモリ６４０内の情報を読み取り、そのハードウェアを組み合わせて上記方法の内容を完了させる。繰り返しを避けるため、ここでは詳しく説明しない。
【００９８】
１つの具体的な実施形態では、図４における端末機器４００に含まれる決定モジュール４１０が、図６のプロセッサ６３０によって実現されることができ、図４における端末機器４００に含まれるアクセスモジュール４２０が、図６の前記入力インターフェース６１０及び前記出力インターフェース６２０によって実現されることができる。
【００９９】
図７に示すように、本出願の実施例はさらに、端末機器７００を提供し、前記端末機器７００が、図３における方法３００に対応する端末機器のコンテンツを実行するために使用することができ、図５における端末機器５００であってもよい。前記端末機器７００が、入力インターフェース７１０、出力インターフェース７２０、プロセッサ７３０、及びメモリ７４０を含み、前記入力インターフェース７１０、出力インターフェース７２０、プロセッサ７３０、及びメモリ７４０が、バスシステムによって接続されてもよい。前記メモリ７４０が、プログラム、命令又はコードを格納するために使用される。前記プロセッサ７３０が、メモリ７４０内のプログラム、命令又はコードを実行して、入力インターフェース７１０を制御して信号を受信し、出力インターフェース７２０を制御して信号を送信し、上記の方法の実施例の動作を完了するために使用される。
【０１００】
理解すべきものとして、本出願の実施例では、前記プロセッサ７３０が中央処理ユニット（Ｃｅｎｔｒａｌ  Ｐｒｏｃｅｓｓｉｎｇ  Ｕｎｉｔ、「ＣＰＵ」と略称）であってもよく、なお、前記プロセッサ７３０が、ほかの汎用プロセッサ、デジタル信号プロセッサ（ＤＳＰ）、特定用途向け集積回路（ＡＳＩＣ）、フィールドプログラマブルゲートアレイ（ＦＰＧＡ）又はこのほかのプログラマブルロジック装置、ディスクリートゲート又はトランジスタロジック装置、個別のハードウェアコンポーネントなどであってもよい。汎用プロセッサが、マイクロプロセッサであってもよく、又は、前記プロセッサが、任意の従来のプロセッサなどであってもよい。
【０１０１】
前記メモリ７４０は、読み取り専用メモリとランダムアクセスメモリを含んでもよく、命令とデータをプロセッサ７３０に提供する。メモリ７４０の一部はさらに、不揮発性ランダムアクセスメモリを含んでもよい。例えば、メモリ７４０はさらに、機器タイプの情報を格納してもよい。
【０１０２】
実現過程において、上記方法の各コンテンツは、プロセッサ７３０内のハードウェアの集積ロジック回路又はソフトウェア形の命令によって完成されることができる。本出願の実施例と組み合わせて開示された方法の内容が、ハードウェアプロセッサによって実行されるものとして、又はプロセッサ内のハードウェアとソフトウェアモジュールの組み合わせによって実行されるものとして直接具体化されてもよい。ソフトウェアモジュールが、ランダムアクセスメモリ、フラッシュメモリ、読み取り専用メモリ、プログラマブル読み取り専用メモリ、又は電気的消去可能プログラマブルメモリ、レジスタなどの本分野における成熟した記憶媒体にあってよい。前記記憶媒体がメモリ７４０にあり、プロセッサ７３０がメモリ７４０内の情報を読み取り、そのハードウェアを組み合わせて上記方法の内容を完了させる。繰り返しを避けるため、ここでは詳しく説明しない。
【０１０３】
１つの具体的な実施形態では、図５における端末機器５００に含まれる決定モジュール５１０が、図７のプロセッサ７３０によって実現されることができ、図５における端末機器５００に含まれるアクセスモジュール５２０が、図７の前記入力インターフェース７１０及び前記出力インターフェース７２０によって実現されることができる。
【０１０４】
本出願の実施例はさらに、コンピュータ可読記憶媒体を提出し、当該コンピュータ可読記憶媒体が１つ又は複数のプログラムを格納し、当該１つ又は複数のプログラムが命令を含み、当該命令が複数のアプリケーションプログラムを含む携帯型電子機器によって実行される場合、当該携帯型電子機器が図２及び図３に示す実施例の方法を実行させることができる。
【０１０５】
本出願の実施例はさらに、コンピュータプログラムを提出し、当該コンピュータプログラムが命令を含み、当該コンピュータプログラムがコンピュータによって実行されるとき、コンピュータに図２及び図３に示す実施例の方法の対応するプロセスを実行させることができる。
【０１０６】
当業者は、本明細書で開示される実施例と組み合わせて説明される各例のユニット及びアルゴリズムステップが、電子ハードウェア、又はコンピュータソフトウェア及び電子ハードウェアの組み合わせによって実現されることができることを理解することができる。これらの機能がハードウェアで実行されるか、ソフトウェアで実行されるかは、技術的解決手段の特定のアプリケーションと設計上の制約条件に依存する。専門の技術者は、特定のアプリケーションごとに説明された機能を実施させるために異なる方法を使用できるが、この種の実現は、本出願の実施例の範囲を超えると見なされるべきではない。
【０１０７】
当業者は、説明の便宜と簡潔のために、上記説明されるシステム、装置、及びユニットの具体的な作業プロセスは、上記方法の実施例における対応するプロセスを参照することができると明確に理解することができ、ここでは説明を省略する。
【０１０８】
本出願で提供されるいくつかの実施例では、開示されたシステム、装置、及び方法は、他の方式で実施されることができると理解すべきである。例えば、上記説明される装置の実施例は概略的なものにすぎず、例えば、前記ユニットの分割は論理機能上の分割にすぎず、実際に実施する際に別の形態で分割してもよく、例えば、複数のユニット又はコンポーネントを別のシステムに組み合わせもしくは集積させたり、又は一部の特徴を反映させず、実行しなくてもよい。また、表示又は検討した互いの結合又は直接的な結合又は通信接続は、いくつかのインターフェース、装置又はユニットを介した間接的結合又は通信接続であってもよく、電気的形態、機械的形態又はその他の形態であってもよい。
【０１０９】
前記分離される部品として説明されるユニットは、物理的に分離されるものでもよければ、分離されないものであってもよい。ユニットとして示される部品は、物理的なユニットであってもよいが、物理的なユニットでなくてもよい。即ち、同一の場所に設けられるものであってもよいが、複数のネットワークユニットに配置されるものであってもよい。必要に応じて、一部のユニットだけを用いるか、又はすべてのユニットを選択して本実施例の解決策の目的を達成することができる。
【０１１０】
また、本出願の各実施例における各機能ユニットが１つの処理ユニットに集積されてもよいが、各ユニットが単独で物理的な部品として存在するか、又は２つ以上のユニットが１つのユニットに集積されてもよい。
【０１１１】
前記機能が、ソフトウェア機能ユニットの形で実施され、独立した製品として販売または使用される場合、１つのコンピュータ読み取り可能な記憶媒体に記憶されることができる。このような理解に基づいて、本出願の技術的解決手段は、本質的に、従来の技術に寄与する部分であるか、当該技術的解決手段の一部が、ソフトウェア製品の形で具現化されることができ、前記コンピュータソフトウェア製品は、１つの記憶媒体に記憶され、コンピュータデバイス（パーソナルコンピュータ、サーバー、又はネットワークデバイスなどであってもよい）に、本願の各実施例で説明した方法のステップのすべて又は一部を実行させるためのいくつかの命令を含む。上記の記憶媒体は、Ｕディスク、モバイルハードディスク、読み取り専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、又はコンパクトディスクなどのプログラムコードを記憶できるさまざまな媒体を含む。
【０１１２】
以上の内容は、本出願の実施例の具体的実施形態にすぎず、本出願の保護範囲はこれらに限定されず、当業者であれば、本出願の実施例で開示される技術的範囲内に、容易に想像しうるすべての変更又は置換は、いずれも本出願の保護範囲内に含まれるべきである。したがって、本出願の保護範囲を、特許請求の保護範囲に従うものとする。
【国際調査報告】
2021520089.tif 000010
2021520089.tif 000011
2021520089.tif 000012
2021520089.tif 000013
2021520089.tif 000014
2021520089.tif 000015